(57)【要約】データを送信する方法、データを受信する方法、端末機器及びネットワーク機器を提供する。該方法は、端末機器が時間インデックス及び／又は設定情報に基づいて目標リソースを決定するステップと、該端末機器が該目標リソースの上でネットワーク機器にデータを送信するステップと、を含む。本願の実施例における端末機器は時間インデックスに基づいて目標リソースを直接決定するため、該端末機器は該目標リソースのリソース粒度が該端末機器の伝送要求を満足するように制御でき、さらに、データの実際の伝送プロセスが同一の周波数領域リソースの上でのみ発生することを回避でき、それにより、さらにｎｏｎ−ｓｌｏｔ伝送における周波数ダイバーシティゲインを向上できる。また、該端末機器が設定情報に基づいて該目標リソースを決定する時、可能な限り干渉のランダム性を向上でき、同じユーザが常に又は頻繁に衝突することを回避し、該端末機器のＤＭＲＳが他の端末と衝突する時、ユーザ認識の性能を効果的に向上できる。【選択図】図３
2021515434.tif 000002
【特許請求の範囲】
【請求項１】
端末機器が時間インデックス及び／又は設定情報に基づいて目標リソースを決定するステップと、
前記端末機器が前記目標リソースの上でネットワーク機器にデータを送信するステップと、を含むことを特徴とするデータを送信する方法。
【請求項２】
前記時間インデックスに対応する時間ユニットの単位は、少なくとも１つのシンボル、少なくとも１つのスロット、及び少なくとも１つの伝送機会のうちの少なくとも１つを含むことを特徴とする請求項１に記載の方法。
【請求項３】
前記時間インデックスに対応する時間ユニットの単位は、前記端末機器が前記ネットワーク機器から送信された上位層シグナリング又は物理層シグナリングによって決定するものとすることを特徴とする請求項１又は請求項２に記載の方法。
【請求項４】
前記端末機器が時間インデックス及び／又は設定情報に基づいて目標リソースを決定する前に、前記方法は、
前記端末機器が前記ネットワーク機器から送信された、前記端末機器の独占情報である前記設定情報を受信するステップをさらに含み、
ただし、前記端末機器が時間インデックス及び／又は設定情報に基づいて目標リソースを決定するステップは、
前記端末機器が前記設定情報に基づいて前記目標リソースを決定することを含むことを特徴とする請求項１から請求項３のいずれか一項に記載の方法。
【請求項５】
前記設定情報は、第１の周波数ホッピングパラメータ
【数１】
2021515434.tif 000157
、第２の周波数ホッピングパラメータ
【数２】
2021515434.tif 000158
、使用可能なリソース数
【数３】
2021515434.tif 000159
、周波数ホッピングパラメータＫ及び境界点パラメータ
【数４】
2021515434.tif 000160
のうちの少なくとも１つを含み、ここで、前記
【数５】
2021515434.tif 000161
は前記開始リソース位置を示し、前記
【数６】
2021515434.tif 000162
は前記端末機器が次のホップリソース位置を取得するために用いられることを特徴とする請求項４に記載の方法。
【請求項６】
前記端末機器が前記設定情報に基づいて前記目標リソースを決定することは、
前記端末機器が、以下の式に従って、前記目標リソースを決定することを含み、
【数７】
2021515434.tif 000163
ここで、前記
【数８】
2021515434.tif 000164
は前記目標リソースを表し、前記
【数９】
2021515434.tif 000165
はモジュラス演算を表し、前記
【数１０】
2021515434.tif 000166
は帯域幅部分のサイズを表し、前記
【数１１】
2021515434.tif 000167
は前記時間インデックスを表すことを特徴とする請求項５に記載の方法。
【請求項７】
前記端末機器が前記設定情報に基づいて前記目標リソースを決定することは、
前記端末機器が、以下の式に従って、前記目標リソースを決定することを含み、
【数１２】
2021515434.tif 000168
ここで、前記
【数１３】
2021515434.tif 000169
は前記目標リソースを表し、前記
【数１４】
2021515434.tif 000170
はモジュラス演算を表し、前記
【数１５】
2021515434.tif 000171
は帯域幅部分のサイズを表し、前記
【数１６】
2021515434.tif 000172
は前記時間インデックスを表すことを特徴とする請求項５に記載の方法。
【請求項８】
前記端末機器が前記設定情報に基づいて前記目標リソースを決定することは、
前記端末機器が、以下の式に従って、前記目標リソースを決定することを含み、
【数１７】
2021515434.tif 000173
ここで、前記
【数１８】
2021515434.tif 000174
は前記目標リソースを表し、前記
【数１９】
2021515434.tif 000175
はモジュラス演算を表し、前記
【数２０】
2021515434.tif 000176
は帯域幅部分のサイズを表し、前記
【数２１】
2021515434.tif 000177
は前記時間インデックスを表すことを特徴とする請求項５から請求項７のいずれか一項に記載の方法。
【請求項９】
前記
【数２２】
2021515434.tif 000178
は２以上であることを特徴とする請求項８に記載の方法。
【請求項１０】
前記端末機器が前記設定情報に基づいて前記目標リソースを決定することは、
前記端末機器が、以下の式に従って、前記目標リソースを決定することを含み、
【数２３】
2021515434.tif 000179
ここで、前記
【数２４】
2021515434.tif 000180
は前記目標リソースを表し、前記
【数２５】
2021515434.tif 000181
はモジュラス演算を表し、前記
【数２６】
2021515434.tif 000182
は丸め演算を表し、前記
【数２７】
2021515434.tif 000183
は帯域幅部分のサイズを表し、前記
【数２８】
2021515434.tif 000184
は前記時間インデックスを表すことを特徴とする請求項５から請求項７のいずれか一項に記載の方法。
【請求項１１】
前記設定情報は前記目標リソースの位置情報を含むことを特徴とする請求項４に記載の方法。
【請求項１２】
前記端末機器が前記設定情報に基づいて前記目標リソースを決定することは、
前記端末機器が、以下の式に従って、前記目標リソースを決定することを含み、
【数２９】
2021515434.tif 000185
ここで、前記
【数３０】
2021515434.tif 000186
は前記目標リソースを表し、前記
【数３１】
2021515434.tif 000187
はモジュラス演算を表し、前記
【数３２】
2021515434.tif 000188
は帯域幅部分のサイズを表し、前記
【数３３】
2021515434.tif 000189
は前記時間インデックスを表すことを特徴とする請求項５から請求項７のいずれか一項に記載の方法。
【請求項１３】
前記Ｋは、前記ネットワーク機器によって暗示的又は明示的に設定されることを特徴とする請求項１２に記載の方法。
【請求項１４】
前記Ｋは、前記データの繰り返し伝送される回数に等しいことを特徴とする請求項１２又は請求項１３に記載の方法。
【請求項１５】
前記端末機器に前記データの繰り返し伝送される回数が設定されていない場合、前記Ｋは第１の値に等しく、前記端末機器に前記データの繰り返し伝送される回数が設定されている場合、前記Ｋは前記データの繰り返し伝送される回数に等しいことを特徴とする請求項１２又は請求項１３に記載の方法。
【請求項１６】
ネットワーク機器が前記端末機器の独占情報である設定情報を決定するステップと、
前記ネットワーク機器が前記設定情報に基づいて目標リソースを決定するステップと、
前記端末機器が前記目標リソースの上で端末機器から送信されたデータを受信するステップと、を含むことを特徴とするデータを受信する方法。
【請求項１７】
前記ネットワーク機器が前記設定情報に基づいて目標リソースを決定する前に、前記方法は、
前記ネットワーク機器が前記端末機器に前記設定情報を送信するステップをさらに含むことを特徴とする請求項１６に記載の方法。
【請求項１８】
前記時間インデックスに対応する時間ユニットの単位は、少なくとも１つのシンボル、少なくとも１つのスロット、及び少なくとも１つの伝送機会のうちの少なくとも１つを含むことを特徴とする請求項１６又は請求項１７に記載の方法。
【請求項１９】
前記時間インデックスに対応する時間ユニットの単位は、前記端末機器が前記ネットワーク機器から送信された上位層シグナリング又は物理層シグナリングによって決定するものとすることを特徴とする請求項１６から請求項１８のいずれか一項に記載の方法。
【請求項２０】
前記設定情報は、第１の周波数ホッピングパラメータ
【数３４】
2021515434.tif 000190
、第２の周波数ホッピングパラメータ
【数３５】
2021515434.tif 000191
、使用可能なリソース数
【数３６】
2021515434.tif 000192
、周波数ホッピングパラメータＫ及び境界点パラメータ
【数３７】
2021515434.tif 000193
のうちの少なくとも１つを含み、ここで、前記
【数３８】
2021515434.tif 000194
は前記開始リソース位置を示し、前記
【数３９】
2021515434.tif 000195
は前記端末機器が次のホップリソース位置を取得するために用いられることを特徴とする請求項１６から請求項１９のいずれか一項に記載の方法。
【請求項２１】
前記ネットワーク機器が前記設定情報に基づいて目標リソースを決定することは、
前記ネットワーク機器が、以下の式に従って、前記目標リソースを決定することを含み、
【数４０】
2021515434.tif 000196
ここで、前記
【数４１】
2021515434.tif 000197
は前記目標リソースを表し、前記
【数４２】
2021515434.tif 000198
はモジュラス演算を表し、前記
【数４３】
2021515434.tif 000199
は帯域幅部分のサイズを表し、前記
【数４４】
2021515434.tif 000200
は前記時間インデックスを表すことを特徴とする請求項２０に記載の方法。
【請求項２２】
前記ネットワーク機器が前記設定情報に基づいて目標リソースを決定することは、
前記ネットワーク機器が、以下の式に従って、前記目標リソースを決定することを含み、
【数４５】
2021515434.tif 000201
ここで、前記
【数４６】
2021515434.tif 000202
は前記目標リソースを表し、前記
【数４７】
2021515434.tif 000203
はモジュラス演算を表し、前記
【数４８】
2021515434.tif 000204
は帯域幅部分のサイズを表し、前記
【数４９】
2021515434.tif 000205
は前記時間インデックスを表すことを特徴とする請求項２０に記載の方法。
【請求項２３】
前記ネットワーク機器が前記設定情報に基づいて目標リソースを決定することは、
前記ネットワーク機器が、以下の式に従って、前記目標リソースを決定することを含み、
【数５０】
2021515434.tif 000206
ここで、前記
【数５１】
2021515434.tif 000207
は前記目標リソースを表し、前記
【数５２】
2021515434.tif 000208
はモジュラス演算を表し、前記
【数５３】
2021515434.tif 000209
は帯域幅部分のサイズを表し、前記
【数５４】
2021515434.tif 000210
は前記時間インデックスを表すことを特徴とする請求項２０から請求項２２のいずれか一項に記載の方法。
【請求項２４】
前記
【数５５】
2021515434.tif 000211
は２以上であることを特徴とする請求項２３に記載の方法。
【請求項２５】
前記ネットワーク機器が前記設定情報に基づいて目標リソースを決定することは、
前記ネットワーク機器が、以下の式に従って、前記目標リソースを決定することを含み、
【数５６】
2021515434.tif 000212
ここで、前記
【数５７】
2021515434.tif 000213
は前記目標リソースを表し、前記
【数５８】
2021515434.tif 000214
はモジュラス演算を表し、前記
【数５９】
2021515434.tif 000215
は丸め演算を表し、前記
【数６０】
2021515434.tif 000216
は帯域幅部分のサイズを表し、前記
【数６１】
2021515434.tif 000217
は前記時間インデックスを表すことを特徴とする請求項２０から請求項２２のいずれか一項に記載の方法。
【請求項２６】
前記ネットワーク機器が前記設定情報に基づいて目標リソースを決定することは、
前記ネットワークが、以下の式に従って、前記目標リソースを決定することを含み、
【数６２】
2021515434.tif 000218
ここで、前記
【数６３】
2021515434.tif 000219
は前記目標リソースを表し、前記
【数６４】
2021515434.tif 000220
はモジュラス演算を表し、前記
【数６５】
2021515434.tif 000221
は帯域幅部分のサイズを表し、前記
【数６６】
2021515434.tif 000222
は前記時間インデックスを表すことを特徴とする請求項２０から請求項２５のいずれか一項に記載の方法。
【請求項２７】
前記Ｋは、前記ネットワーク機器によって暗示的又は明示的に設定されることを特徴とする請求項２６に記載の方法。
【請求項２８】
前記Ｋは、前記データの繰り返し伝送される回数に等しいことを特徴とする請求項２６又は請求項２７に記載の方法。
【請求項２９】
前記端末機器に前記データの繰り返し伝送される回数が設定されていない場合、前記Ｋは第１の値に等しく、前記端末機器に前記データの繰り返し伝送される回数が設定されている場合、前記Ｋは前記データの繰り返し伝送される回数に等しいことを特徴とする請求項２６又は請求項２７に記載の方法。
【請求項３０】
前記設定情報は前記目標リソースの位置情報を含むことを特徴とする請求項１６から請求項１９のいずれか一項に記載の方法。
【請求項３１】
時間インデックス及び／又は設定情報に基づいて目標リソースを決定する処理ユニットと、
前記目標リソースの上でネットワーク機器にデータを送信する送受信ユニットと、を含むことを特徴とする端末機器。
【請求項３２】
前記時間インデックスに対応する時間ユニットの単位は、少なくとも１つのシンボル、少なくとも１つのスロット、及び少なくとも１つの伝送機会のうちの少なくとも１つを含むことを特徴とする請求項３１に記載の端末機器。
【請求項３３】
前記時間インデックスに対応する時間ユニットの単位は、前記端末機器が前記ネットワーク機器から送信された上位層シグナリング又は物理層シグナリングによって決定するものとすることを特徴とする請求項３１又は請求項３２に記載の端末機器。
【請求項３４】
前記送受信ユニットはさらに、
前記処理ユニットが時間インデックス及び／又は設定情報に基づいて目標リソースを決定する前に、前記ネットワーク機器から送信された、前記端末機器の独占情報である前記設定情報を受信するために用いられ、
ここで、前記処理ユニットは具体的には、
前記設定情報に基づいて前記目標リソースを決定するために用いられることを特徴とする請求項３１から請求項３３のいずれか一項に記載の端末機器。
【請求項３５】
前記設定情報は、第１の周波数ホッピングパラメータ
【数６７】
2021515434.tif 000223
、第２の周波数ホッピングパラメータ
【数６８】
2021515434.tif 000224
、使用可能なリソース数
【数６９】
2021515434.tif 000225
、周波数ホッピングパラメータＫ及び境界点パラメータ
【数７０】
2021515434.tif 000226
のうちの少なくとも１つを含み、ここで、前記
【数７１】
2021515434.tif 000227
は前記開始リソース位置を示し、前記
【数７２】
2021515434.tif 000228
は前記端末機器が次のホップリソース位置を取得するために用いられることを特徴とする請求項３４に記載の端末機器。
【請求項３６】
前記処理ユニットは具体的には、以下の式に従って、前記目標リソースを決定するために用いられ、
【数７３】
2021515434.tif 000229
ここで、前記
【数７４】
2021515434.tif 000230
は前記目標リソースを表し、前記
【数７５】
2021515434.tif 000231
はモジュラス演算を表し、前記
【数７６】
2021515434.tif 000232
は帯域幅部分のサイズを表し、前記
【数７７】
2021515434.tif 000233
は前記時間インデックスを表すことを特徴とする請求項３５に記載の端末機器。
【請求項３７】
前記処理ユニットは具体的には、以下の式に従って、前記目標リソースを決定するために用いられ、
【数７８】
2021515434.tif 000234
ここで、前記
【数７９】
2021515434.tif 000235
は前記目標リソースを表し、前記
【数８０】
2021515434.tif 000236
はモジュラス演算を表し、前記
【数８１】
2021515434.tif 000237
は帯域幅部分のサイズを表し、前記
【数８２】
2021515434.tif 000238
は前記時間インデックスを表すことを特徴とする請求項３５に記載の端末機器。
【請求項３８】
前記処理ユニットは具体的には、以下の式に従って、前記目標リソースを決定するために用いられ、
【数８３】
2021515434.tif 000239
ここで、前記
【数８４】
2021515434.tif 000240
は前記目標リソースを表し、前記
【数８５】
2021515434.tif 000241
はモジュラス演算を表し、前記
【数８６】
2021515434.tif 000242
は帯域幅部分のサイズを表し、前記
【数８７】
2021515434.tif 000243
は前記時間インデックスを表すことを特徴とする請求項３５から請求項３７のいずれか一項に記載の端末機器。
【請求項３９】
前記
【数８８】
2021515434.tif 000244
は２以上であることを特徴とする請求項３８に記載の端末機器。
【請求項４０】
前記処理ユニットは具体的には、以下の式に従って、前記目標リソースを決定するために用いられ、
【数８９】
2021515434.tif 000245
ここで、前記
【数９０】
2021515434.tif 000246
は前記目標リソースを表し、前記
【数９１】
2021515434.tif 000247
はモジュラス演算を表し、前記
【数９２】
2021515434.tif 000248
は丸め演算を表し、前記
【数９３】
2021515434.tif 000249
は帯域幅部分のサイズを表し、前記
【数９４】
2021515434.tif 000250
は前記時間インデックスを表すことを特徴とする請求項３５から請求項３７のいずれか一項に記載の端末機器。
【請求項４１】
前記設定情報は前記目標リソースの位置情報を含むことを特徴とする請求項３４に記載の端末機器。
【請求項４２】
前記処理ユニットは具体的には、以下の式に従って、前記目標リソースを決定するために用いられ、
【数９５】
2021515434.tif 000251
ここで、前記
【数９６】
2021515434.tif 000252
は前記目標リソースを表し、前記
【数９７】
2021515434.tif 000253
はモジュラス演算を表し、前記
【数９８】
2021515434.tif 000254
は帯域幅部分のサイズを表し、前記
【数９９】
2021515434.tif 000255
は前記時間インデックスを表すことを特徴とする請求項３５から請求項３７のいずれか一項に記載の端末機器。
【請求項４３】
前記Ｋは、前記ネットワーク機器によって暗示的又は明示的に設定されることを特徴とする請求項４２に記載の端末機器。
【請求項４４】
前記Ｋは、前記データの繰り返し伝送される回数に等しいことを特徴とする請求項４２又は請求項４３に記載の端末機器。
【請求項４５】
前記端末機器に前記データの繰り返し伝送される回数が設定されていない場合、前記Ｋは第１の値に等しく、前記端末機器に前記データの繰り返し伝送される回数が設定されている場合、前記Ｋは前記データの繰り返し伝送される回数に等しいことを特徴とする請求項４２又は請求項４３に記載の端末機器。
【請求項４６】
前記端末機器の独占情報である設定情報を決定し、前記設定情報に基づいて目標リソースを決定する処理ユニットと、
前記目標リソースの上で端末機器から送信されたデータを受信する送受信ユニットと、を含むことを特徴とするネットワーク機器。
【請求項４７】
前記送受信ユニットはさらに、
前記処理ユニットが前記設定情報に基づいて前記目標リソースを決定する前に、前記端末機器に前記設定情報を送信するために用いられることを特徴とする請求項４６に記載のネットワーク機器。
【請求項４８】
前記時間インデックスに対応する時間ユニットの単位は、少なくとも１つのシンボル、少なくとも１つのスロット、及び少なくとも１つの伝送機会のうちの少なくとも１つを含むことを特徴とする請求項４６又は請求項４７に記載のネットワーク機器。
【請求項４９】
前記時間インデックスに対応する時間ユニットの単位は、前記端末機器が前記ネットワーク機器から送信された上位層シグナリング又は物理層シグナリングによって決定するものとすることを特徴とする請求項４６から請求項４８のいずれか一項に記載のネットワーク機器。
【請求項５０】
前記設定情報は、第１の周波数ホッピングパラメータ
【数１００】
2021515434.tif 000256
、第２の周波数ホッピングパラメータ
【数１０１】
2021515434.tif 000257
、使用可能なリソース数
【数１０２】
2021515434.tif 000258
、周波数ホッピングパラメータＫ及び境界点パラメータ
【数１０３】
2021515434.tif 000259
のうちの少なくとも１つを含み、ここで、前記
【数１０４】
2021515434.tif 000260
は前記開始リソース位置を示し、前記
【数１０５】
2021515434.tif 000261
は前記端末機器が次のホップリソース位置を取得するために用いられることを特徴とする請求項４６から請求項４９のいずれか一項に記載のネットワーク機器。
【請求項５１】
前記処理ユニットは具体的には、以下の式に従って、前記目標リソースを決定するために用いられ、
【数１０６】
2021515434.tif 000262
ここで、前記
【数１０７】
2021515434.tif 000263
は前記目標リソースを表し、前記
【数１０８】
2021515434.tif 000264
はモジュラス演算を表し、前記
【数１０９】
2021515434.tif 000265
は帯域幅部分のサイズを表し、前記
【数１１０】
2021515434.tif 000266
は前記時間インデックスを表すことを特徴とする請求項５０に記載のネットワーク機器。
【請求項５２】
前記処理ユニットは具体的には、以下の式に従って、前記目標リソースを決定するために用いられ、
【数１１１】
2021515434.tif 000267
ここで、前記
【数１１２】
2021515434.tif 000268
は前記目標リソースを表し、前記
【数１１３】
2021515434.tif 000269
はモジュラス演算を表し、前記
【数１１４】
2021515434.tif 000270
は帯域幅部分のサイズを表し、前記
【数１１５】
2021515434.tif 000271
は前記時間インデックスを表すことを特徴とする請求項５０に記載のネットワーク機器。
【請求項５３】
前記処理ユニットは具体的には、以下の式に従って、前記目標リソースを決定するために用いられ、
【数１１６】
2021515434.tif 000272
ここで、前記
【数１１７】
2021515434.tif 000273
は前記目標リソースを表し、前記
【数１１８】
2021515434.tif 000274
はモジュラス演算を表し、前記
【数１１９】
2021515434.tif 000275
は帯域幅部分のサイズを表し、前記
【数１２０】
2021515434.tif 000276
は前記時間インデックスを表すことを特徴とする請求項５０から請求項５２のいずれか一項に記載のネットワーク機器。
【請求項５４】
前記
【数１２１】
2021515434.tif 000277
は２以上であることを特徴とする請求項５３に記載のネットワーク機器。
【請求項５５】
前記処理ユニットは具体的には、以下の式に従って、前記目標リソースを決定するために用いられ、
【数１２２】
2021515434.tif 000278
ここで、前記
【数１２３】
2021515434.tif 000279
は前記目標リソースを表し、前記
【数１２４】
2021515434.tif 000280
はモジュラス演算を表し、前記
【数１２５】
2021515434.tif 000281
は丸め演算を表し、前記
【数１２６】
2021515434.tif 000282
は帯域幅部分のサイズを表し、前記
【数１２７】
2021515434.tif 000283
は前記時間インデックスを表すことを特徴とする請求項５０から請求項５４のいずれか一項に記載のネットワーク機器。
【請求項５６】
前記処理ユニットは具体的には、以下の式に従って、前記目標リソースを決定するために用いられ、
【数１２８】
2021515434.tif 000284
ここで、前記
【数１２９】
2021515434.tif 000285
は前記目標リソースを表し、前記
【数１３０】
2021515434.tif 000286
はモジュラス演算を表し、前記
【数１３１】
2021515434.tif 000287
は帯域幅部分のサイズを表し、前記
【数１３２】
2021515434.tif 000288
は前記時間インデックスを表すことを特徴とする請求項５０から請求項５５のいずれか一項に記載のネットワーク機器。
【請求項５７】
前記Ｋは、前記ネットワーク機器によって暗示的又は明示的に設定されることを特徴とする請求項５６に記載のネットワーク機器。
【請求項５８】
前記Ｋは、前記データの繰り返し伝送される回数に等しいことを特徴とする請求項５６又は請求項５７に記載のネットワーク機器。
【請求項５９】
前記端末機器に前記データの繰り返し伝送される回数が設定されていない場合、前記Ｋは第１の値に等しく、前記端末機器に前記データの繰り返し伝送される回数が設定されている場合、前記Ｋは前記データの繰り返し伝送される回数に等しいことを特徴とする請求項５６又は請求項５７に記載のネットワーク機器。
【請求項６０】
前記設定情報は前記目標リソースの位置情報を含むことを特徴とする請求項４６から請求項４９のいずれか一項に記載のネットワーク機器。
【発明の詳細な説明】
【技術分野】
【０００１】
本願は、２０１８年０１月１０日に中国専利局に提出された、出願番号がＰＣＴ／ＣＮ２０１８／０７２１６９で、発明の名称が「データを送信する方法、データを受信する方法、端末機器及びネットワーク機器」である国際特許出願の優先権を主張し、その内容全体を参照により本願に援用する。
本発明の実施例は、通信分野に関し、より具体的には、データを送信する方法、データを受信する方法、端末機器及びネットワーク機器に関する。
【背景技術】
【０００２】
現在、第五世代移動通信技術（５−Ｇｅｎｅｒａｔｉｏｎ、５Ｇ）新ラジオ（Ｎｅｗ  Ｒａｄｉｏ、ＮＲ）システムにはスロット内（ｉｎｔｅｒ−ｓｌｏｔ）とスロット内の周波数ホッピング（ｉｎｔｒａ−ｓｌｏｔ  ｆｒｅｑｕｅｎｃｙ  ｈｏｐｐｉｎｇ）が導入されている。また、ｉｎｔｒａ−ｓｌｏｔ  ｆｒｅｑｕｅｎｃｙ  ｈｏｐｐｉｎｇについてはよく議論されているが、ｉｎｔｅｒ−ｓｌｏｔは、基本的には解明されていない。このため、現在のｉｎｔｒａ−ｓｌｏｔ  ｆｒｅｑｕｅｎｃｙ  ｈｏｐｐｉｎｇは、動作することができない。
【０００３】
また、５Ｇに高信頼低遅延通信（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ、ＵＲＬＬＣ）がさらに導入され、該通信サービスの特徴は極端な遅延内（例えば、１ｍｓ）で超高信頼性（例えば、９９．９９９％）の伝送を実現することである。この目的を達成するために、免許（Ｇｒａｎｔ  ｆｒｅｅ）の概念が提案されている。Ｇｒａｎｔ  ｆｒｅｅはプリセット／半永久状態のリソース配置方式を採用し、端末はサービス需要に応じて配置されたリソースの上で伝送することができる。この技術はリソースリクエスト（Ｓｃｈｅｄｕｌｅ  ｒｅｑｕｅｓｔ、ＳＲ）及びバッファ状態報告（Ｂｕｆｆｅｒ  ｓｔａｔｕｓ  ｒｅｐｏｒｔ、ＢＳＲ）のプロセスを回避し、端末の有効伝送時間を増加させる。
【０００４】
しかし、Ｇｒａｎｔ  ｆｒｅｅ伝送では、ユーザが伝送を開始する位置は比較的柔軟であり、位置の決定及び任意の位置の開始を含む。任意の位置の開始は、アクセスユーザが制御できないので、周波数ホッピングの設計においてアクセスユーザ干渉問題も考慮する必要がある。例えば、端末機器がノンスロット（ｎｏｎ−ｓｌｏｔ）伝送を採用すると、図１に示すように、端末の実際の伝送が同一の周波数領域リソースでのみ行われる可能性があり、ｎｏｎ−ｓｌｏｔ伝送が周波数ダイバーシティゲインを取得することを保証できず、複数の端末の伝送リソースが重なり、さらにユーザが衝突する場合もある。
【発明の概要】
【発明が解決しようとする課題】
【０００５】
ｎｏｎ−ｓｌｏｔ伝送における周波数ダイバーシティゲインを効果的に向上させるデータを送信する方法、データを受信する方法、端末機器及びネットワーク機器を提供する。
【課題を解決するための手段】
【０００６】
第１の態様にて提供されるデータを送信する方法は、
端末機器が時間インデックス及び／又は設定情報に基づいて目標リソースを決定するステップと、
前記端末機器が前記目標リソースの上でネットワーク機器にデータを送信するステップと、を含む。
【０００７】
本願の実施例における端末機器は時間インデックスに基づいて目標リソースを直接決定するため、該端末機器は該目標リソースのリソース粒度が該端末機器の伝送要求を満足するように制御でき、それにより、データの実際の伝送プロセスが同一の周波数領域リソースの上でのみ発生することを回避でき、それにより、さらにｎｏｎ−ｓｌｏｔ伝送における周波数ダイバーシティゲインを向上できる。
【０００８】
また、該端末機器が設定情報に基づいて該目標リソースを決定する時、可能な限り干渉のランダム性を向上でき、同じユーザが常に又は頻繁に衝突することを回避し、さらに、該端末機器のＤＭＲＳが他の端末と衝突する時、ユーザ認識の性能を効果的に向上でき、システム伝送効率を向上させる。
【０００９】
いくつかの可能な実現形態において、前記時間インデックスに対応する時間ユニットの単位は、少なくとも１つのシンボル、少なくとも１つのスロット、及び少なくとも１つの伝送機会のうちの少なくとも１つを含む。
【００１０】
いくつかの可能な実現形態において、前記時間インデックスに対応する時間ユニットの単位は、前記端末機器が前記ネットワーク機器から送信された上位層シグナリング又は物理層シグナリングによって決定するものとする。
【００１１】
いくつかの可能な実現形態において、前記端末機器が時間インデックス及び／又は設定情報に基づいて目標リソースを決定する前に、前記方法は、
前記端末機器が前記ネットワーク機器から送信された、前記端末機器の独占情報である前記設定情報を受信するステップをさらに含み、ただし、前記端末機器が時間インデックス及び／又は設定情報に基づいて目標リソースを決定するステップは、
前記端末機器が前記設定情報に基づいて前記目標リソースを決定することを含む。
【００１２】
いくつかの可能な実現形態において、前記設定情報は、第１の周波数ホッピングパラメータ
【数１】
2021515434.tif 000003
、第２の周波数ホッピングパラメータ
【数２】
2021515434.tif 000004
、使用可能なリソース数
【数３】
2021515434.tif 000005
、周波数ホッピングパラメータＫ及び境界点パラメータ
【数４】
2021515434.tif 000006
のうちの少なくとも１つを含み、ここで、前記
【数５】
2021515434.tif 000007
は前記開始リソース位置を示し、前記
【数６】
2021515434.tif 000008
は前記端末機器が次のホップリソース位置を取得するために用いられる。
【００１３】
いくつかの可能な実現形態において、前記端末機器が前記設定情報に基づいて前記目標リソースを決定することは、前記端末機器が、以下の式に従って、前記目標リソースを決定することを含み、
【数７】
2021515434.tif 000009
ここで、前記
【数８】
2021515434.tif 000010
は前記目標リソースを表し、前記
【数９】
2021515434.tif 000011
はモジュラス演算を表し、前記
【数１０】
2021515434.tif 000012
は帯域幅部分のサイズを表し、前記
【数１１】
2021515434.tif 000013
は前記時間インデックスを表す。
【００１４】
いくつかの可能な実現形態において、前記端末機器が前記設定情報に基づいて前記目標リソースを決定することは、前記端末機器が、以下の式に従って、前記目標リソースを決定することを含み、
【数１２】
2021515434.tif 000014
ここで、前記
【数１３】
2021515434.tif 000015
は前記目標リソースを表し、前記
【数１４】
2021515434.tif 000016
はモジュラス演算を表し、前記
【数１５】
2021515434.tif 000017
は帯域幅部分のサイズを表し、前記
【数１６】
2021515434.tif 000018
は前記時間インデックスを表す。
【００１５】
いくつかの可能な実現形態において、前記端末機器が前記設定情報に基づいて前記目標リソースを決定することは、前記端末機器が、以下の式に従って、前記目標リソースを決定することを含み、
【数１７】
2021515434.tif 000019
ここで、前記
【数１８】
2021515434.tif 000020
は前記目標リソースを表し、前記
【数１９】
2021515434.tif 000021
はモジュラス演算を表し、前記
【数２０】
2021515434.tif 000022
は帯域幅部分のサイズを表し、前記
【数２１】
2021515434.tif 000023
は前記時間インデックスを表す。
【００１６】
いくつかの可能な実現形態において、前記
【数２２】
2021515434.tif 000024
は２以上である。
【００１７】
いくつかの可能な実現形態において、前記端末機器が前記設定情報に基づいて前記目標リソースを決定することは、前記端末機器が、以下の式に従って、前記目標リソースを決定することを含み、
【数２３】
2021515434.tif 000025
ここで、前記
【数２４】
2021515434.tif 000026
は前記目標リソースを表し、前記
【数２５】
2021515434.tif 000027
はモジュラス演算を表し、前記
【数２６】
2021515434.tif 000028
は丸め演算を表し、前記
【数２７】
2021515434.tif 000029
は帯域幅部分のサイズを表し、前記
【数２８】
2021515434.tif 000030
は前記時間インデックスを表す。
【００１８】
いくつかの可能な実現形態において、前記設定情報は前記目標リソースの位置情報を含む。
【００１９】
いくつかの可能な実現形態において、前記端末機器が前記設定情報に基づいて前記目標リソースを決定することは、前記端末機器が、以下の式に従って、前記目標リソースを決定することを含み、
【数２９】
2021515434.tif 000031
ここで、前記
【数３０】
2021515434.tif 000032
は前記目標リソースを表し、前記
【数３１】
2021515434.tif 000033
はモジュラス演算を表し、前記
【数３２】
2021515434.tif 000034
は帯域幅部分のサイズを表し、前記
【数３３】
2021515434.tif 000035
は前記時間インデックスを表す。
【００２０】
いくつかの可能な実現形態において、前記Ｋは、前記ネットワーク機器によって暗示的又は明示的に設定される。
【００２１】
いくつかの可能な実現形態において、前記Ｋは、前記データの繰り返し伝送される回数に等しい。
【００２２】
いくつかの可能な実現形態において、前記端末機器に前記データの繰り返し伝送される回数が設定されていない場合、前記Ｋは第１の値に等しく、前記端末機器に前記データの繰り返し伝送される回数が設定されている場合、前記Ｋは前記データの繰り返し伝送される回数に等しい。
【００２３】
第２の態様にて提供されるデータを受信する方法は、
端末機器が時間インデックスに基づいて目標リソースを決定するための、前記端末機器の独占情報である設定情報をネットワーク機器が決定するステップと、前記ネットワーク機器が前記設定情報に基づいて目標リソースを決定するステップと、前記端末機器が前記目標リソースの上で、端末機器から送信されたデータを受信するステップと、を含む。
【００２４】
いくつかの可能な実現形態において、前記ネットワーク機器が前記設定情報に基づいて目標リソースを決定する前に、前記方法は、前記ネットワーク機器が前記端末機器に前記設定情報を送信するステップをさらに含む。
【００２５】
第３の態様にて提供される端末機器は、時間インデックス及び／又は設定情報に基づいて目標リソースを決定する処理ユニットと、前記目標リソースの上でネットワーク機器にデータを送信する送受信ユニットと、を含む。
【００２６】
第４の態様にて提供される端末機器は、時間インデックス及び／又は設定情報に基づいて目標リソースを決定するプロセッサと、前記目標リソースの上でネットワーク機器にデータを送信するトランシーバーと、を含む。
【００２７】
第５の態様にて提供されるネットワーク機器は、端末機器が時間インデックスに基づいて目標リソースを決定するための、前記端末機器の独占情報である設定情報を決定し、前記設定情報に基づいて前記目標リソースを決定する処理ユニットと、前記目標リソースの上で端末機器から送信されたデータを受信する送受信ユニットと、を含む。
【００２８】
第６の態様にて提供されるネットワーク機器は、端末機器が時間インデックスに基づいて目標リソースを決定するための、前記端末機器の独占情報である設定情報を決定し、前記設定情報に基づいて前記目標リソースを決定するプロセッサと、前記目標リソースの上で端末機器から送信されたデータを受信するトランシーバーと、を含む。
【００２９】
第７の態様は、コンピュータプログラムを記憶するためのコンピュータ可読媒体を提供し、該コンピュータプログラムは上記第１の態様又は第２の態様の方法の実施例を実行するための命令を含む。
【００３０】
第８の態様にて提供されるコンピュータチップは、入力インタフェースと、出力インタフェースと、少なくとも１つのプロセッサと、メモリと、を備え、前記プロセッサは、前記メモリ内のコードを実行し、前記コードが実行されると、前記プロセッサは上記第１の態様及び各種実施態様におけるデータを送信する方法において端末機器によって実行される各プロセスを実現することができる。
【００３１】
第９の態様にて提供されるコンピュータチップは、入力インタフェースと、出力インタフェースと、少なくとも１つのプロセッサと、メモリと、を備え、前記プロセッサは、前記メモリ内のコードを実行し、前記コードが実行されると、前記プロセッサは上記第２の態様及び各種実施形態におけるデータを受信する方法においてネットワーク機器によって実行される各プロセスを実現することができる。
【００３２】
第１０の態様にて提供される通信システムは、上述したネットワーク機器及び上述した端末機器を含む。
【図面の簡単な説明】
【００３３】
【図１】従来技術におけるリソース位置の概略ブロック図である。
【図２】本発明の実施例による本発明のアプリケーションシナリオの一例である。
【図３】本発明の実施例による情報を伝送する方法の概略フローチャートである。
【図４】本発明の実施例による情報を伝送する方法の概略フローチャートである。
【図５】本発明の実施例による目標リソースのリソース位置の概略ブロック図である。
【図６】本発明の実施例による目標リソースのリソース位置の概略ブロック図である。
【図７】本発明の実施例による目標リソースのリソース位置の概略ブロック図である。
【図８】本発明の実施例による目標リソースのリソース位置の概略ブロック図である。
【図９】本発明の実施例による目標リソースのリソース位置の概略ブロック図である。
【図１０】本発明の実施例による端末機器の概略ブロック図である。
【図１１】本発明の実施例による端末機器の概略ブロック図である。
【図１２】本発明の実施例によるネットワーク機器の概略ブロック図である。
【図１３】本発明の実施例によるネットワーク機器の概略ブロック図である。
【発明を実施するための形態】
【００３４】
図２は、本発明の実施例による５Ｇアプリケーションシナリオの概略図である。
【００３５】
図２に示すように、通信システム１００は、端末機器１１０及びネットワーク機器１２０を含んでもよい。ネットワーク機器１２０はエアインターフェースを介して端末機器１１０と通信することができる。端末機器１１０とネットワーク機器１２０との間でマルチサービスの伝送がサポートされる。
【００３６】
本発明の実施例は、５Ｇ通信システム１００のみを例として説明されるが、本発明の実施例は、これに限定されないことを理解されたい。つまり、本発明の実施例に係る技術的解決手段は、５Ｇ通信システムを含む様々なシナリオに適用することができる。例えば、５Ｇ通信システムと第１の通信システムとからなるハイブリッド展開シナリオなどが挙げられる。ここで、該第１の通信システムはいずれの通信システムであってもよい。例えば、長期進化（Ｌｏｎｇ  Ｔｅｒｍ  Ｅｖｏｌｕｔｉｏｎ、ＬＴＥ（登録商標））システム、ＬＴＥ時分割デュプレックス（Ｔｉｍｅ  Ｄｉｖｉｓｉｏｎ  Ｄｕｐｌｅｘ、ＴＤＤ）、汎用移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）などが知られている。
【００３７】
さらに、本発明は、ネットワーク機器及び端末機器を関連して様々な実施例を説明する。
【００３８】
ここで、ネットワーク機器１２０は信号を送受信するためのネットワーク側のいずれかのエンティティを指してもよい。例えば、５Ｇネットワークにおける基地局機器などである。
【００３９】
端末機器１１０はいずれの端末機器であってもよい。具体的には、端末機器１１０はラジオアクセスネットワーク（Ｒａｄｉｏ  Ａｃｃｅｓｓ  Ｎｅｔｗｏｒｋ、ＲＡＮ）を介して１つ以上のコアネットワーク（Ｃｏｒｅ  Ｎｅｔｗｏｒｋ）と通信してもよく、アクセス端末、ユーザ機器（Ｕｓｅｒ  Ｅｑｕｉｐｍｅｎｔ、ＵＥ）、ユーザユニット、ユーザステーション、モバイルステーション、移動局、リモートステーション、リモート端末、モバイル機器、ユーザ端末、端末、無線通信機器、ユーザエージェント又はユーザ装置とも呼ばれる。例えば、携帯電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）ステーション、パーソナルデジタル処理（Ｐｅｒｓｏｎａｌ  Ｄｉｇｉｔａｌ  Ａｓｓｉｓｔａｎｔ、ＰＤＡ）、無線通信機能を有する手持ち機器、計算機器又は無線モデムに接続された他の処理機器、車載機器、ウェアラブル機器などがある。
【００４０】
図３は本発明の実施例によるデータを送信する方法の概略フローチャートである。
【００４１】
具体的には、図３に示すように、該方法は、
端末機器が時間インデックス及び／又は設定情報に基づいて目標リソースを決定するステップ２１０と、
該端末機器が該目標リソースの上でネットワーク機器にデータを送信するステップ２２０と、を含む。
【００４２】
具体的には、端末機器は時間インデックスに基づいて目標リソースを直接決定し、又は、該端末機器はネットワーク機器から送信された設定情報に基づいて該目標リソースを決定することができる。その後、該端末機器は該目標リソースの上で該ネットワーク機器にデータを送信する。さらに、該設定情報は、該端末機器が時間インデックスに基づいて該目標リソースを決定するための情報を含む。
【００４３】
さらに、該端末機器が該設定情報に基づいて該目標リソースを決定した場合には、該端末機器が該設定情報に基づいて目標リソースを決定する前に、該端末機器は、該ネットワーク機器から送信された、該端末機器の独占情報である該設定情報を受信する。このように、該端末機器は該設定情報に基づいて該目標リソースを決定する。該ネットワーク機器は該設定情報に基づいて該目標リソースを決定し、また該目標リソースの上で端末機器から送信されたデータを受信することもできる。
【００４４】
言い換えれば、該ネットワーク機器は、端末機器が時間インデックスに基づいて目標リソースを決定するための、該端末機器の独占情報である設定情報を決定し、該ネットワーク機器が該設定情報に基づいて該目標リソースを決定する前に、該ネットワーク機器は該端末機器に該設定情報を送信する。
【００４５】
具体的には、図４に示すように、本願の実施例によるネットワーク機器と端末機器との間のインタラクションのプロセスは、
該ネットワーク機器が設定情報を決定するステップ３１０と、
該ネットワーク機器が該端末機器に該設定情報を送信するステップ３２０と、
該ネットワーク機器が該設定情報に基づいて該目標リソースを決定するステップ３３０と、
該ネットワーク機器が該目標リソースの上でデータを受信するステップ３４０と、を含む。
【００４６】
本願の実施例において、該時間インデックスは、時間ユニットのインデックスとして理解されてもよく、ここで、該時間ユニットは、ある期間として理解されてもよいことを理解されたい。但し、本願の実施例では、ある期間の長さについては特に限定しない。
【００４７】
例えば、一実施例では、該時間インデックスに対応する時間ユニットの単位は、少なくとも１つのシンボル、少なくとも１つのスロット、及び少なくとも１つの伝送機会のうちの少なくとも１つを含む。具体的には、例えば、該時間インデックスに対応する時間ユニットの単位は、１つのシンボルでもよいし、複数のシンボルからなる時間帯でもよいし、１つのスロット（Ｓｌｏｔ）でもよいし、複数のｓｌｏｔからなる時間帯でもよい。
【００４８】
さらに、該時間インデックスに対応する時間ユニットの単位は、該端末機器が該ネットワーク機器から送信された上位層シグナリング又は物理層シグナリングによって決定するものとする。
【００４９】
例えば、該時間インデックスに対応する時間ユニットの単位は、ネットワーク機器が直接指示してもよいし、ネットワーク機器が間接的に指示してもよいし、プロトコルによって該時間インデックスに対応する時間ユニットの単位を規定してもよく、本願は特に限定しない。
【００５０】
さらに、本願の実施例に係る当該時間ユニットは、相対時間ユニットを指しても絶対時間ユニットを指してもよく、本願の実施例は特に限定しない。
【００５１】
本願の実施例における端末機器は時間インデックスに基づいて目標リソースを直接決定するため、該端末機器は該目標リソースのリソース粒度が該端末機器の伝送要求を満足するように制御でき、さらに、データの実際の伝送プロセスが同一の周波数領域リソースの上でのみ発生することを回避でき、それにより、さらにｎｏｎ−ｓｌｏｔ伝送における周波数ダイバーシティゲインを向上できる。
【００５２】
また、該端末機器が設定情報に基づいて該目標リソースを決定する時、可能な限り干渉のランダム性を向上でき、同じユーザが常に又は頻繁に衝突することを回避し、さらに、該端末機器の復調基準信号（Ｄｅｍｏｄｕｌａｔｉｏｎ  Ｒｅｆｅｒｅｎｃｅ  Ｓｉｇｎａｌ、ＤＭＲＳ）が他の端末と衝突する時、ユーザ認識の性能を効果的に向上でき、システム伝送効率を向上させる。
【００５３】
なお、本願の実施例において、該端末機器は、時間インデックスに基づいて該目標リソースを直接決定し、さらに該目標リソースのリソース粒度を制御することができる。該端末機器は、該設定情報に基づいて該目標リソースのリソース粒度を直接制御して該目標リソースを決定し、リソースの衝突を回避することもできる。しかし、本願の実施例は、該目標リソースを決定する実現形態について特に限定しない。
【００５４】
例えば、該端末機器は、データの伝送回数に従って該目標リソースを決定してもよい。すなわち、該端末機器は、データの伝送回数に基づいて該目標リソースのリソース位置を決定する。
【００５５】
以下、本願の実施例における端末機器が該設定情報に基づいて該目標リソースを決定する実現形態について例示的に説明する。
【００５６】
一実施例では、該設定情報は、第１の周波数ホッピングパラメータ
【数３４】
2021515434.tif 000036
、第２の周波数ホッピングパラメータ
【数３５】
2021515434.tif 000037
、使用可能なリソース数
【数３６】
2021515434.tif 000038
、周波数ホッピングパラメータＫ及び境界点パラメータ
【数３７】
2021515434.tif 000039
のうちの少なくとも１つを含み、ここで、該
【数３８】
2021515434.tif 000040
は該開始リソース位置を示し、該
【数３９】
2021515434.tif 000041
は、該端末機器が次のホップリソース位置を取得するために用いられる。これにより、端末機器は、該設定情報における各パラメータ情報に基づいて該目標リソースを取得することができる。
【００５７】
なお、本願の実施例では、該設定情報に基づいて該目標リソースを決定する実現形態は、端末機器側とネットワーク機器側のいずれにも適用可能であるため、重複を避けるため、以下、端末機器側を例に挙げて説明する。
【００５８】
以下、該端末機器が上記設定情報に例示されるパラメータに基づいて該目標リソースを決定する具体的な実現形態について例示的に説明する。
【００５９】
一実施例では、該端末機器は、式（１）に従って、該目標リソースを決定することができ、
【数４０】
2021515434.tif 000042
ここで、該
【数４１】
2021515434.tif 000043
は該目標リソースを表し、該
【数４２】
2021515434.tif 000044
はモジュラス演算を表し、該
【数４３】
2021515434.tif 000045
は帯域幅部分のサイズを表し、該
【数４４】
2021515434.tif 000046
は該時間インデックスを表す。
【００６０】
具体的には、図５に示すように、目標リソースのリソース粒度が時間インデックスに対応する時間ユニットを単位とするため、データの実際の伝送プロセスにおいて同一の周波数領域リソースの上でのみ発生することを回避でき、さらにｎｏｎ−ｓｌｏｔ伝送における周波数ダイバーシティゲインを向上できる。理解されるように、上記式（１）を用いて該目標リソースを決定する時、該設定情報は第１の周波数ホッピングパラメータ
【数４５】
2021515434.tif 000047
及び／又は第２の周波数ホッピングパラメータ
【数４６】
2021515434.tif 000048
を含む。
【００６１】
別の実施例では、該端末機器は、式（２）に従って、該目標リソースを決定することができ、
【数４７】
2021515434.tif 000049
ここで、該
【数４８】
2021515434.tif 000050
は該目標リソースを表し、該
【数４９】
2021515434.tif 000051
はモジュラス演算を表し、該
【数５０】
2021515434.tif 000052
は帯域幅部分のサイズを表し、該
【数５１】
2021515434.tif 000053
は該時間インデックスを表す。
【００６２】
具体的には、図６に示すように、該時間ユニットの単位は１つの伝送機会である。理解されるように、上記式（２）を用いて該目標リソースを決定する時、該設定情報は第１の周波数ホッピングパラメータ
【数５２】
2021515434.tif 000054
及び／又は第２の周波数ホッピングパラメータ
【数５３】
2021515434.tif 000055
を含んでもよい。
【００６３】
別の実施例では、該端末機器は、式（３）に従って、該目標リソースを決定することができ、
【数５４】
2021515434.tif 000056
ここで、該
【数５５】
2021515434.tif 000057
は該目標リソースを表し、該
【数５６】
2021515434.tif 000058
はモジュラス演算を表し、該
【数５７】
2021515434.tif 000059
は帯域幅部分のサイズを表し、該
【数５８】
2021515434.tif 000060
は該時間インデックスを表す。
【００６４】
理解されるように、上記式（３）を用いて該目標リソースを決定する時、該設定情報は第１の周波数ホッピングパラメータ
【数５９】
2021515434.tif 000061
、第２の周波数ホッピングパラメータ
【数６０】
2021515434.tif 000062
及び使用可能なリソース数
【数６１】
2021515434.tif 000063
のいずれを含んでもよい。
【００６５】
例えば、
【数６２】
2021515434.tif 000064
であり、ユーザ１の設定情報において
【数６３】
2021515434.tif 000065
であり、使用可能なリソース数
【数６４】
2021515434.tif 000066
であると仮定する。ユーザ２の設定情報において
【数６５】
2021515434.tif 000067
であり、使用可能なリソース数
【数６６】
2021515434.tif 000068
であると仮定する。図７に示すように、ユーザ１とユーザ２のリソース衝突が発生する確率を効果的に低減することができる。
【００６６】
さらに、本願の実施例では、該
【数６７】
2021515434.tif 000069
は２以上であってもよい。
【００６７】
また例えば、該端末機器は、式（４）に従って、該目標リソースを決定することができ、
【数６８】
2021515434.tif 000070
ここで、該
【数６９】
2021515434.tif 000071
は該目標リソースを表し、該
【数７０】
2021515434.tif 000072
はモジュラス演算を表し、該
【数７１】
2021515434.tif 000073
は丸め演算を表し、該
【数７２】
2021515434.tif 000074
は帯域幅部分のサイズを表し、該
【数７３】
2021515434.tif 000075
は該時間インデックスを表す。
【００６８】
理解されるように、上記式（４）を用いて該目標リソースを決定する時、該設定情報は第１の周波数ホッピングパラメータ
【数７４】
2021515434.tif 000076
、第２の周波数ホッピングパラメータ
【数７５】
2021515434.tif 000077
及び境界点パラメータ
【数７６】
2021515434.tif 000078
のいずれを含んでもよい。
【００６９】
例えば、本願の実施例における設定情報において境界点パラメータ
【数７７】
2021515434.tif 000079
を含み、且つユーザ１の設定情報において
【数７８】
2021515434.tif 000080
であると仮定する。ユーザ２の設定情報において
【数７９】
2021515434.tif 000081
である。図８に示すように、ユーザ１とユーザ２のリソース衝突が発生する確率を効果的に低減することができる。
【００７０】
また例えば、該端末機器は、式（５）に従って、該目標リソースを決定することができ、
【数８０】
2021515434.tif 000082
ここで、該
【数８１】
2021515434.tif 000083
は該目標リソースを表し、該
【数８２】
2021515434.tif 000084
はモジュラス演算を表し、該
【数８３】
2021515434.tif 000085
は帯域幅部分のサイズを表し、該
【数８４】
2021515434.tif 000086
は該時間インデックスを表す。
【００７１】
理解されるように、上記式（４）を用いて該目標リソースを決定する時、該設定情報は第１の周波数ホッピングパラメータ
【数８５】
2021515434.tif 000087
、第２の周波数ホッピングパラメータ
【数８６】
2021515434.tif 000088
及び周波数ホッピングパラメータＫのいずれを含んでもよい。
【００７２】
ここで、該Ｋは、該ネットワーク機器によって暗示的又は明示的に設定できる。
【００７３】
例えば、該Ｋは、該データの繰り返し伝送される回数に等しい。
【００７４】
さらに、該端末機器に該データの繰り返し伝送される回数が設定されていない場合、該Ｋはデフォルトでは第１の値に等しくてもよい。該端末機器に該データの繰り返し伝送される回数が設定されている場合、該Ｋは該データの繰り返し伝送される回数に等しい。
【００７５】
例えば、該端末機器に該データの繰り返し伝送される回数が設定されていない場合、該Ｋはデフォルトでは２に等しくてもよい。該端末機器に該データの繰り返し伝送される回数が設定されている場合、該Ｋは該データの繰り返し伝送される回数に等しい。
【００７６】
なお、上記の式（１）、式（２）、式（３）、式（４）、式（５）は、本願の実施例における端末機器が該設定情報に含まれた周波数ホッピングパラメータに基づいて該目標リソースを決定する一例を示したにすぎず、本願の実施例における端末機器が該設定情報に基づいて該目標リソースを決定する方法は、上記の式に限定されない。
【００７７】
別の実施例では、該設定情報は該目標リソースの位置情報を含む。このように、端末機器は該目標リソースの位置情報に基づいて該ネットワーク機器にデータを直接送信することができる。
【００７８】
例えば、本願の実施例における設定情報は、一連の伝送リソースを含むものと仮定する。図９に示すように、ユーザ１が｛ＲＢ＿１、ＲＢ＿３、ＲＢ＿１、ＲＢ＿３、ＲＢ＿１｝で構成され、ユーザ２が｛ＲＢ＿３、ＲＢ＿１、ＲＢ＿２、ＲＢ＿１、ＲＢ＿３｝で構成されているものと仮定する。本願の実施例の態様はユーザ１とユーザ２のリソース衝突が発生する確率を効果的に低減することができる。
【００７９】
図１０は本願の実施例による端末機器の概略ブロック図である。
【００８０】
具体的には、図１０に示すように、該端末機器４００は、
時間インデックス及び／又は設定情報に基づいて目標リソースを決定する処理ユニット４１０と、該目標リソースの上でネットワーク機器にデータを送信する送受信ユニット４２０と、を含む。
【００８１】
任意選択で、該時間インデックスに対応する時間ユニットの単位は、少なくとも１つのシンボル、少なくとも１つのスロット、及び少なくとも１つの伝送機会のうちの少なくとも１つを含む。
【００８２】
任意選択で、該時間インデックスに対応する時間ユニットの単位は、該端末機器が該ネットワーク機器から送信された上位層シグナリング又は物理層シグナリングによって決定するものとする。
【００８３】
任意選択で、該送受信ユニット４２０はさらに、該処理ユニット４１０が時間インデックス及び／又は設定情報に基づいて目標リソースを決定する前に、該ネットワーク機器から送信された、該端末機器の独占情報である該設定情報を受信するために用いられる。ここで、該処理ユニット４１０は具体的には、該設定情報に基づいて該目標リソースを決定するために用いられる。
【００８４】
任意選択で、該設定情報は、第１の周波数ホッピングパラメータ
【数８７】
2021515434.tif 000089
、第２の周波数ホッピングパラメータ
【数８８】
2021515434.tif 000090
、使用可能なリソース数
【数８９】
2021515434.tif 000091
、周波数ホッピングパラメータＫ及び境界点パラメータ
【数９０】
2021515434.tif 000092
のうちの少なくとも１つを含み、ここで、該
【数９１】
2021515434.tif 000093
は該開始リソース位置を示し、該
【数９２】
2021515434.tif 000094
は、該端末機器が次のホップリソース位置を取得するために用いられる。
【００８５】
任意選択で、該処理ユニット４１０は具体的には、以下の式に従って、該目標リソースを決定するために用いられ、
【数９３】
2021515434.tif 000095
ここで、該
【数９４】
2021515434.tif 000096
は該目標リソースを表し、該
【数９５】
2021515434.tif 000097
はモジュラス演算を表し、該
【数９６】
2021515434.tif 000098
は帯域幅部分のサイズを表し、該
【数９７】
2021515434.tif 000099
は該時間インデックスを表す。
【００８６】
任意選択で、該処理ユニット４１０は具体的には、以下の式に従って、該目標リソースを決定するために用いられ、
【数９８】
2021515434.tif 000100
ここで、該
【数９９】
2021515434.tif 000101
は該目標リソースを表し、該
【数１００】
2021515434.tif 000102
はモジュラス演算を表し、該
【数１０１】
2021515434.tif 000103
は帯域幅部分のサイズを表し、該
【数１０２】
2021515434.tif 000104
は該時間インデックスを表す。
【００８７】
任意選択で、該処理ユニット４１０は具体的には、以下の式に従って、該目標リソースを決定するために用いられ、
【数１０３】
2021515434.tif 000105
ここで、該
【数１０４】
2021515434.tif 000106
は該目標リソースを表し、該
【数１０５】
2021515434.tif 000107
はモジュラス演算を表し、該
【数１０６】
2021515434.tif 000108
は帯域幅部分のサイズを表し、該
【数１０７】
2021515434.tif 000109
は該時間インデックスを表す。
【００８８】
任意選択で、該
【数１０８】
2021515434.tif 000110
は２以上である。
【００８９】
任意選択で、該処理ユニット４１０は具体的には、以下の式に従って、該目標リソースを決定するために用いられ、
【数１０９】
2021515434.tif 000111
ここで、該
【数１１０】
2021515434.tif 000112
は該目標リソースを表し、該
【数１１１】
2021515434.tif 000113
はモジュラス演算を表し、該
【数１１２】
2021515434.tif 000114
は丸め演算を表し、該
【数１１３】
2021515434.tif 000115
は帯域幅部分のサイズを表し、該
【数１１４】
2021515434.tif 000116
は該時間インデックスを表す。
【００９０】
任意選択で、該処理ユニット４１０は具体的には、以下の式に従って、該目標リソースを決定するために用いられ、
【数１１５】
2021515434.tif 000117
ここで、該
【数１１６】
2021515434.tif 000118
は該目標リソースを表し、該
【数１１７】
2021515434.tif 000119
はモジュラス演算を表し、該
【数１１８】
2021515434.tif 000120
は丸め演算を表し、該
【数１１９】
2021515434.tif 000121
は帯域幅部分のサイズを表し、該
【数１２０】
2021515434.tif 000122
は該時間インデックスを表す。
【００９１】
任意選択で、該Ｋは、該ネットワーク機器によって暗示的又は明示的に設定される。
【００９２】
任意選択で、該Ｋは、該データの繰り返し伝送される回数に等しい。
【００９３】
任意選択で、該端末機器に該データの繰り返し伝送される回数が設定されていない場合、該Ｋは第１の値に等しく、該端末機器に該データの繰り返し伝送される回数が設定されている場合、該Ｋは該データの繰り返し伝送される回数に等しい。
【００９４】
任意選択で、該設定情報は該目標リソースの位置情報を含む。
【００９５】
本発明の実施例において、処理ユニット４１０はプロセッサによって実現され、送受信ユニット４２０はトランシーバーによって実現されてもよい。図１１に示すように、端末機器５００は、プロセッサ５１０、トランシーバー５２０、及びメモリ５３０を含んでよい。ここで、メモリ５３０は、指示情報を記憶するために用いられてもよく、プロセッサ５１０が実行するコード、命令などを記憶するために用いられてもよい。端末機器５００内の各構成要素はバスシステムにより接続され、ここで、バスシステムはデータバスの他に、電源バス、制御バス、ステータス信号バスをさらに含む。
【００９６】
図１１に示す端末機器５００は、上述した図３及び図４の方法の実施例における端末機器によって実現される各プロセスを実現することができ、重複を避けるためにここでは詳しい説明を省略する。
【００９７】
図１２は本願の実施例によるネットワーク機器の概略ブロック図である。
【００９８】
具体的には、図１２に示すように、該ネットワーク機器６００は、
端末機器が時間インデックスに基づいて目標リソースを決定するための、該端末機器の独占情報である設定情報を決定し、該設定情報に基づいて該目標リソースを決定する処理ユニット６１０と、該目標リソースの上で端末機器から送信されたデータを受信する送受信ユニット６２０と、を含む。
【００９９】
任意選択で、該送受信ユニット６２０はさらに、該処理ユニット６１０が該設定情報に基づいて該目標リソースを決定する前に、該端末機器に該設定情報を送信するために用いられる。
【０１００】
任意選択で、該時間インデックスに対応する時間ユニットの単位は、少なくとも１つのシンボル、少なくとも１つのスロット、及び少なくとも１つの伝送機会のうちの少なくとも１つを含む。
【０１０１】
任意選択で、該時間インデックスに対応する時間ユニットの単位は、該端末機器が該ネットワーク機器から送信された上位層シグナリング又は物理層シグナリングによって決定するものとする。
【０１０２】
任意選択で、該設定情報は、第１の周波数ホッピングパラメータ
【数１２１】
2021515434.tif 000123
、第２の周波数ホッピングパラメータ
【数１２２】
2021515434.tif 000124
、使用可能なリソース数
【数１２３】
2021515434.tif 000125
、周波数ホッピングパラメータＫ及び境界点パラメータ
【数１２４】
2021515434.tif 000126
のうちの少なくとも１つを含み、ここで、該
【数１２５】
2021515434.tif 000127
は該開始リソース位置を示し、該
【数１２６】
2021515434.tif 000128
は、該端末機器が次のホップリソース位置を取得するために用いられる。
【０１０３】
任意選択で、該処理ユニット６１０は具体的には、以下の式に従って、該目標リソースを決定するために用いられ、
【数１２７】
2021515434.tif 000129
ここで、該
【数１２８】
2021515434.tif 000130
は該目標リソースを表し、該
【数１２９】
2021515434.tif 000131
はモジュラス演算を表し、該
【数１３０】
2021515434.tif 000132
は帯域幅部分のサイズを表し、該
【数１３１】
2021515434.tif 000133
は該時間インデックスを表す。
【０１０４】
任意選択で、該処理ユニット６１０は具体的には、以下の式に従って、該目標リソースを決定するために用いられ、
【数１３２】
2021515434.tif 000134
ここで、該
【数１３３】
2021515434.tif 000135
は該目標リソースを表し、該
【数１３４】
2021515434.tif 000136
はモジュラス演算を表し、該
【数１３５】
2021515434.tif 000137
は帯域幅部分のサイズを表し、該
【数１３６】
2021515434.tif 000138
は該時間インデックスを表す。
【０１０５】
任意選択で、該処理ユニット６１０は具体的には、以下の式に従って、該目標リソースを決定するために用いられ、
【数１３７】
2021515434.tif 000139
ここで、該
【数１３８】
2021515434.tif 000140
は該目標リソースを表し、該
【数１３９】
2021515434.tif 000141
はモジュラス演算を表し、該
【数１４０】
2021515434.tif 000142
は帯域幅部分のサイズを表し、該
【数１４１】
2021515434.tif 000143
は該時間インデックスを表す。
【０１０６】
任意選択で、該
【数１４２】
2021515434.tif 000144
は２以上である。
【０１０７】
任意選択で、該処理ユニット６１０は具体的には、以下の式に従って、該目標リソースを決定するために用いられ、
【数１４３】
2021515434.tif 000145
ここで、該
【数１４４】
2021515434.tif 000146
は該目標リソースを表し、該
【数１４５】
2021515434.tif 000147
はモジュラス演算を表し、該
【数１４６】
2021515434.tif 000148
は丸め演算を表し、該
【数１４７】
2021515434.tif 000149
は帯域幅部分のサイズを表し、該
【数１４８】
2021515434.tif 000150
は該時間インデックスを表す。
【０１０８】
任意選択で、該処理ユニット６１０は具体的には、以下の式に従って、該目標リソースを決定するために用いられ、
【数１４９】
2021515434.tif 000151
ここで、該
【数１５０】
2021515434.tif 000152
は該目標リソースを表し、該
【数１５１】
2021515434.tif 000153
はモジュラス演算を表し、該
【数１５２】
2021515434.tif 000154
は丸め演算を表し、該
【数１５３】
2021515434.tif 000155
は帯域幅部分のサイズを表し、該
【数１５４】
2021515434.tif 000156
は該時間インデックスを表す。
【０１０９】
任意選択で、該Ｋは、該ネットワーク機器によって暗示的又は明示的に設定される。
【０１１０】
任意選択で、該Ｋは、該データの繰り返し伝送される回数に等しい。
【０１１１】
任意選択で、該端末機器に該データの繰り返し伝送される回数が設定されていない場合、該Ｋは第１の値に等しく、該端末機器に該データの繰り返し伝送される回数が設定されている場合、該Ｋは該データの繰り返し伝送される回数に等しい。
【０１１２】
任意選択で、該設定情報は該目標リソースの位置情報を含む。
【０１１３】
本発明の実施例において、処理ユニット６１０はプロセッサによって実現され、送受信ユニット６２０はトランシーバーによって実現されてもよい。図１３に示すように、ネットワーク機器７００は、プロセッサ７１０、トランシーバー７２０、及びメモリ７３０を含んでよい。ネットワーク機器７００は、上述した図３及び図４の方法の実施例におけるネットワーク機器によって実現される各プロセスを実現することができ、重複を避けるためにここでは詳しい説明を省略する。すなわち、本発明の実施例における方法の実施例は、プロセッサ及びトランシーバーによって実現することができる。
【０１１４】
実現プロセスにおいて、本発明の実施例における方法の実施例の各ステップはプロセッサにおけるハードウェアの集積論理回路又はソフトウェア形式の命令により完了することができる。より具体的には、本発明の実施例に開示された方法を組み合わせるステップは、ハードウェア復号プロセッサの実行、又は復号プロセッサにおけるハードウェア及びソフトウェアモジュールの組み合わせにより直接完了できる。ソフトウェアモジュールはランダムメモリ、フラッシュメモリ、読み取り専用メモリ、プログラム可能読み取り専用メモリ又は電気的消去可能プログラム可能メモリ、レジスタなどの当該技術分野の成熟した記憶媒体に位置することができる。該記憶媒体はメモリに位置し、プロセッサはメモリにおける情報を読み取り、そのハードウェアと組み合わせて上記方法のステップを完了する。
【０１１５】
本発明の実施例におけるプロセッサは集積回路チップであり、信号の処理能力を有し、本発明の実施例に開示された各方法、ステップ及び論理ブロック図を実現又は実行することができる。例えば、上記プロセッサは、汎用プロセッサ、デジタル信号プロセッサ（ｄｉｇｉｔａｌ  ｓｉｇｎａｌ  ｐｒｏｃｅｓｓｏｒ、ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、フィールドプログラム可能ゲートアレイ（ｆｉｅｌｄ  ｐｒｏｇｒａｍｍａｂｌｅ  ｇａｔｅ  ａｒｒａｙ、ＦＰＧＡ）又は他のプログラム可能論理デバイス、トランジスタ論理デバイス、ディスクリートハードウェアコンポーネントなどであってもよいと理解されたい。また、汎用プロセッサはマイクロプロセッサであってもよく、又は該プロセッサは任意の従来のプロセッサなどであってもよい。
【０１１６】
さらに、本発明の実施例で言及されるメモリは、揮発性メモリ又は不揮発性メモリであってもよく、又は揮発性メモリと不揮発性メモリの両方を含んでもよい。ここで、不揮発性メモリは、読み取り専用メモリ（ｒｅａｄ−ｏｎｌｙ  ｍｅｍｏｒｙ、ＲＯＭ）、プログラム可能読み取り専用メモリ（ｐｒｏｇｒａｍｍａｂｌｅ  ＲＯＭ、ＰＲＯＭ）、消去可能プログラム可能読み取り専用メモリ（ｅｒａｓａｂｌｅ  ＰＲＯＭ、ＥＰＲＯＭ）、電気的消去可能プログラム可能読み取り専用メモリ（ｅｌｅｃｔｒｉｃａｌｌｙ  ＥＰＲＯＭ、ＥＥＰＲＯＭ）又はフラッシュメモリであってもよい。揮発性メモリは、外部キャッシュとして使用されるランダムアクセスメモリ（ｒａｎｄｏｍ  ａｃｃｅｓｓ  ｍｅｍｏｒｙ、ＲＡＭ）であってもよい。上記メモリは例示的であり、限定的ではないことを理解すべきであり、例えば、本発明の実施例におけるメモリは、スタティックランダムアクセスメモリ（ｓｔａｔｉｃ  ＲＡＭ、ＳＲＡＭ）、ダイナミックランダムアクセスメモリ（ｄｙｎａｍｉｃ  ＲＡＭ、ＤＲＡＭ）、同期ダイナミックランダムアクセスメモリ（ｓｙｎｃｈｒｏｎｏｕｓ  ＤＲＡＭ、ＳＤＲＡＭ）、ダブルデータレートの同期ダイナミックランダムアクセスメモリ（ｄｏｕｂｌｅ  ｄａｔａ  ｒａｔｅ  ＳＤＲＡＭ、ＤＤＲ  ＳＤＲＡＭ）、拡張同期ダイナミックランダムアクセスメモリ（ｅｎｈａｎｃｅｄ  ＳＤＲＡＭ、ＥＳＤＲＡＭ）、同期接続ダイナミックランダムアクセスメモリ（ｓｙｎｃｈ  ｌｉｎｋ  ＤＲＡＭ、ＳＬＤＲＡＭ）及びダイレクトメモリバスランダムアクセスメモリ（Ｄｉｒｅｃｔ  Ｒａｍｂｕｓ  ＲＡＭ、ＤＲ  ＲＡＭ）などであってもよい。つまり、本明細書で説明されるシステム及び方法のメモリは、これら及び任意の他の適切なタイプのメモリを含むことが意図されているが、これらに限定されない。
【０１１７】
最後に、本発明の実施例及び添付の特許請求の範囲で使用される用語は、特定の実施例を説明するためのものであり、本発明の実施例を限定するものではないことに留意されたい。
【０１１８】
例えば、本発明の実施例及び添付の特許請求の範囲で使用される単数形「１種類」、「前記」、「上記」、及び「該」は、文脈がそうでないことを明確に示さない限り、複数形も含むことを意図している。
【０１１９】
当業者が分かるように、本明細書に開示された実施例を参照しながら説明した各例のユニット及びアルゴリズムステップが、電子ハードウェア、又はコンピュータソフトウェア及び電子ハードウェアの組み合わせで実現することができる。これらの機能がハードウェア又はソフトウェアで実行されるかは、技術的解決手段の特定のアプリケーション及び設計制約条件に依存する。当業者は各特定のアプリケーションに対して異なる方法を用いて説明された機能を実現することができるが、このような実現は本発明の実施例の範囲を超えると考えられるべきではない。
【０１２０】
当業者に自明なように、説明の利便さ及び簡素化から、上記説明されたシステム、装置及びユニットの具体的な作動プロセスについては、上述した方法の実施例における対応プロセスを参照すればよいため、ここで詳細な説明を省略する。
【０１２１】
本願に係るいくつかの実施例に開示されるシステム、装置及び方法は、他の形態により実現することもできると理解すべきである。例えば、以上に説明された装置の実施例は例示的なものにすぎない。例えば、前記ユニットの分割は、論理機能上の分割にすぎず、実施する際に別の形態で分割することもでき、例えば、複数のユニット又はコンポーネントを別のシステムに組み合わせもしくは集積させたり、又は一部の特徴を反映させず、実行しなかったりしてもよい。また、説明又は検討した相互の結合又は直接的な結合又は通信接続は、いくつかのインタフェース、装置又はユニットを用いる間接的な結合又は通信接続とすることもでき、電気的形態、機械的形態又はその他の形態とすることもできる。
【０１２２】
前記分離部材として説明されるユニットは、物理的に分離されるものでもよければ、分離されないものであってもよい。ユニットとして示される部材は、物理的なユニットであってもよいが、物理的なユニットでなくてもよい。すなわち、同一の場所に設けられるものであってもよいが、複数のネットワークユニットに配置されるものであってもよい。必要に従って、一部のユニットだけを用いるか、又は全てのユニットを使用して本発明の各実施例の目的を達成することができる。
【０１２３】
また、本発明の各実施例において、各機能ユニットが１つの処理ユニットに集積されてもよいが、各ユニットが単独で物理的な部材として存在するか、又は２つ以上のユニットが１つのユニットに集積されてもよい。
【０１２４】
ソフトウェアの機能ユニットの形態で実現され、独立した製品として販売されるか又は使用される時に、コンピュータ可読記憶媒体に記憶されてもよい。このような理解に基づき、本発明の実施例の技術的解決手段の本質的に従来技術に貢献する部分又は該技術的解決手段の部分はソフトウェア製品の形式で表すことができ、該コンピュータソフトウェア製品は記憶媒体に記憶され、コンピュータ装置（例えばパソコン、サーバ、又はネットワーク機器など）に本発明の各実施例の前記方法の全部又は一部のステップを実行させるのに用いる若干の命令を含む。前記記憶媒体は、ＵＳＢフラッシュドライブ、モバイルハードディスクドライブ、読み取り専用メモリ、ランダムアクセスメモリ、磁気ディスク又はコンパクトディスクなどの、プログラムコードを記憶できる様々な媒体を含む。
【０１２５】
以上の内容は、本発明の実施例の具体的な実施形態にすぎず、本発明の実施例の保護範囲はこれに限定されない。当業者が本発明の実施例に開示される技術範囲において容易に想到し得る変更や置換などは、いずれも本発明の実施例の保護範囲に含まれる。これにより、本発明の実施例の保護範囲は、特許請求の範囲に記載の内容に準拠する。
【図１】
2021515434.tif 000289
【図２】
2021515434.tif 000290
【図３】
2021515434.tif 000291
【図４】
2021515434.tif 000292
【図５】
2021515434.tif 000293
【図６】
2021515434.tif 000294
【図７】
2021515434.tif 000295
【図８】
2021515434.tif 000296
【図９】
2021515434.tif 000297
【図１０】
2021515434.tif 000298
【図１１】
2021515434.tif 000299
【図１２】
2021515434.tif 000300
【図１３】
2021515434.tif 000301
【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
端末機器が時間ユニットのインデックス及び設定情報に基づいて目標リソースを決定するステップと、
前記端末機器が前記目標リソースの上でネットワーク機器にデータを送信するステップと、を含み、
前記時間ユニットは、
１つのシンボル、
複数のシンボルからなる時間帯、
少なくとも１つのスロット、又は、
少なくとも１つの伝送機会のうちの少なくとも１つを含むことを特徴とするデータを送信する方法。
【請求項２】
前記時間ユニットは、前記端末機器が前記ネットワーク機器から送信された上位層シグナリング又は物理層シグナリングによって決定するものとすることを特徴とする請求項１に記載の方法。
【請求項３】
前記端末機器が時間ユニットのインデックス及び設定情報に基づいて目標リソースを決定する前に、前記方法は、
前記端末機器が前記ネットワーク機器から送信された、前記端末機器の独占情報である前記設定情報を受信するステップをさらに含むことを特徴とする請求項１又は請求項２に記載の方法。
【請求項４】
前記設定情報は、第１の周波数ホッピングパラメータ
【数１】
2021515434.tif 000302
、第２の周波数ホッピングパラメータ
【数２】
2021515434.tif 000303
、使用可能なリソース数
【数３】
2021515434.tif 000304
、周波数ホッピングパラメータＫ及び境界点パラメータ
【数４】
2021515434.tif 000305
のうちの少なくとも１つを含み、ここで、前記
【数５】
2021515434.tif 000306
は開始リソース位置を示し、前記
【数６】
2021515434.tif 000307
は前記端末機器が次のホップリソース位置を取得するために用いられることを特徴とする請求項３に記載の方法。
【請求項５】
前記端末機器が時間ユニットのインデックス及び設定情報に基づいて目標リソースを決定することは、
前記端末機器が、以下の式のうち１つに従って、前記目標リソースを決定することを含み、
【数７】
2021515434.tif 000308
ここで、前記
【数８】
2021515434.tif 000309
は前記目標リソースを表し、前記
【数９】
2021515434.tif 000310
はモジュラス演算を表し、前記
【数１０】
2021515434.tif 000311
は丸め演算を表し、前記
【数１１】
2021515434.tif 000312
は帯域幅部分のサイズを表し、前記
【数１２】
2021515434.tif 000313
は前記時間ユニットの前記インデックスを表すことを特徴とする請求項４に記載の方法。
【請求項６】
ネットワーク機器が端末機器に設定情報を送信するステップと、
前記端末機器が目標リソースの上で前記端末機器から送信されたデータを受信し、前記目標リソースは時間ユニットのインデックス及び前記設定情報に基づいて決定されるステップと、を含み、
前記時間ユニットは、
１つのシンボル、
複数のシンボルからなる時間帯、
少なくとも１つのスロット、又は、
少なくとも１つの伝送機会のうちの少なくとも１つを含む、ことを特徴とするデータを受信する方法。
【請求項７】
前記設定情報は、第１の周波数ホッピングパラメータ
【数１３】
2021515434.tif 000314
、第２の周波数ホッピングパラメータ
【数１４】
2021515434.tif 000315
、使用可能なリソース数
【数１５】
2021515434.tif 000316
、周波数ホッピングパラメータＫ及び境界点パラメータ
【数１６】
2021515434.tif 000317
のうちの少なくとも１つを含み、ここで、前記
【数１７】
2021515434.tif 000318
は開始リソース位置を示し、前記
【数１８】
2021515434.tif 000319
は前記端末機器が次のホップリソース位置を取得するために用いられることを特徴とする請求項６に記載の方法。
【請求項８】
前記設定情報は以下の式のうち１つに従って決定され、
前記ネットワーク機器が、以下の式に従って、前記目標リソースを決定することを含み、
【数１９】
2021515434.tif 000320
ここで、前記
【数２０】
2021515434.tif 000321
は前記目標リソースを表し、前記
【数２１】
2021515434.tif 000322
はモジュラス演算を表し、前記
【数２２】
2021515434.tif 000323
は丸め演算を表し、前記
【数２３】
2021515434.tif 000324
は帯域幅部分のサイズを表し、前記
【数２４】
2021515434.tif 000325
は前記時間ユニットの前記インデックスを表すことを特徴とする請求項７に記載の方法。
【請求項９】
時間ユニットのインデックス及び設定情報に基づいて目標リソースを決定する処理ユニットと、
前記目標リソースの上でネットワーク機器にデータを送信する送受信ユニットと、を含み、
前記時間ユニットは、
１つのシンボル、
複数のシンボルからなる時間帯、
少なくとも１つのスロット、又は、
少なくとも１つの伝送機会のうちの少なくとも１つを含むことを特徴とする端末機器。
【請求項１０】
時間ユニットは、前記端末機器が前記ネットワーク機器から送信された上位層シグナリング又は物理層シグナリングによって決定するものとすることを特徴とする請求項９に記載の端末機器。
【請求項１１】
前記設定情報は、第１の周波数ホッピングパラメータ
【数２５】
2021515434.tif 000326
、第２の周波数ホッピングパラメータ
【数２６】
2021515434.tif 000327
、使用可能なリソース数
【数２７】
2021515434.tif 000328
、周波数ホッピングパラメータＫ及び境界点パラメータ
【数２８】
2021515434.tif 000329
のうちの少なくとも１つを含み、ここで、前記
【数２９】
2021515434.tif 000330
は開始リソース位置を示し、前記
【数３０】
2021515434.tif 000331
は前記端末機器が次のホップリソース位置を取得するために用いられることを特徴とする請求項９又は請求項１０に記載の端末機器。
【請求項１２】
前記処理ユニットは具体的には、以下の式のうち１つに従って、前記目標リソースを決定するために用いられ、
【数３１】
2021515434.tif 000332
ここで、前記
【数３２】
2021515434.tif 000333
は前記目標リソースを表し、前記
【数３３】
2021515434.tif 000334
はモジュラス演算を表し、前記
【数３４】
2021515434.tif 000335
は丸め演算を表し、前記
【数３５】
2021515434.tif 000336
は帯域幅部分のサイズを表し、前記
【数３６】
2021515434.tif 000337
は前記時間ユニットの前記インデックスを表すことを特徴とする請求項１１に記載の端末機器。
【請求項１３】
端末機器に設定情報を送信し、また、
目標リソースの上で前記端末機器から送信されたデータを受信し、前記目標リソースは時間ユニットのインデックス及び設定情報に基づいて決定される送受信ユニット、を含み、
前記時間ユニットは、
１つのシンボル、
複数のシンボルからなる時間帯、
少なくとも１つのスロット、又は、
少なくとも１つの伝送機会のうちの少なくとも１つを含む、ことを特徴とするネットワーク機器。
【請求項１４】
前記設定情報は、第１の周波数ホッピングパラメータ
【数３７】
2021515434.tif 000338
、第２の周波数ホッピングパラメータ
【数３８】
2021515434.tif 000339
、使用可能なリソース数
【数３９】
2021515434.tif 000340
、周波数ホッピングパラメータＫ及び境界点パラメータ
【数４０】
2021515434.tif 000341
のうちの少なくとも１つを含み、ここで、前記
【数４１】
2021515434.tif 000342
は開始リソース位置を示し、前記
【数４２】
2021515434.tif 000343
は前記端末機器が次のホップリソース位置を取得するために用いられることを特徴とする請求項１３に記載のネットワーク機器。
【請求項１５】
前記目標リソースは以下の式のうち１つに従って決定され、
【数４３】
2021515434.tif 000344
ここで、前記
【数４４】
2021515434.tif 000345
は前記目標リソースを表し、前記
【数４５】
2021515434.tif 000346
はモジュラス演算を表し、前記
【数４６】
2021515434.tif 000347
は帯域幅部分のサイズを表し、前記
【数４７】
2021515434.tif 000348
は丸め演算を表し、前記
【数４８】
2021515434.tif 000349
は前記時間ユニットの前記インデックスを表すことを特徴とする請求項１４に記載のネットワーク機器。
【手続補正２】
【補正対象書類名】明細書
【補正対象項目名】全文
【補正方法】変更
【補正の内容】
【発明の詳細な説明】
【技術分野】
【０００１】
本発明の実施例は、通信分野に関し、より具体的には、データを送信する方法、データを受信する方法、端末機器及びネットワーク機器に関する。
【背景技術】
【０００２】
現在、第五世代移動通信技術（５−Ｇｅｎｅｒａｔｉｏｎ、５Ｇ）新ラジオ（Ｎｅｗ  Ｒａｄｉｏ、ＮＲ）システムにはスロット内（ｉｎｔｅｒ−ｓｌｏｔ）とスロット内の周波数ホッピング（ｉｎｔｒａ−ｓｌｏｔ  ｆｒｅｑｕｅｎｃｙ  ｈｏｐｐｉｎｇ）が導入されている。また、ｉｎｔｒａ−ｓｌｏｔ  ｆｒｅｑｕｅｎｃｙ  ｈｏｐｐｉｎｇについてはよく議論されているが、ｉｎｔｅｒ−ｓｌｏｔ  ｆｒｅｑｕｅｎｃｙ  ｈｏｐｐｉｎｇは、基本的には解明されていない。このため、現在のｉｎｔｒａ−ｓｌｏｔ  ｆｒｅｑｕｅｎｃｙ  ｈｏｐｐｉｎｇは、動作することができない。
【０００３】
また、５Ｇに高信頼低遅延通信（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ、ＵＲＬＬＣ）がさらに導入され、該通信サービスの特徴は極端な遅延内（例えば、１ｍｓ）で超高信頼性（例えば、９９．９９９％）の伝送を実現することである。この目的を達成するために、免許（Ｇｒａｎｔ  ｆｒｅｅ）の概念が提案されている。Ｇｒａｎｔ  ｆｒｅｅはプリセット／半永久状態のリソース配置方式を採用し、端末はサービス需要に応じて配置されたリソースの上で伝送することができる。この技術はリソースリクエスト（Ｓｃｈｅｄｕｌｅ  ｒｅｑｕｅｓｔ、ＳＲ）及びバッファ状態報告（Ｂｕｆｆｅｒ  ｓｔａｔｕｓ  ｒｅｐｏｒｔ、ＢＳＲ）のプロセスを回避し、端末の有効伝送時間を増加させる。
【０００４】
しかし、Ｇｒａｎｔ  ｆｒｅｅ伝送では、ユーザが伝送を開始する位置は比較的柔軟であり、位置の決定及び任意の位置の開始を含む。任意の位置の開始は、アクセスユーザが制御できないので、周波数ホッピングの設計においてアクセスユーザ干渉問題も考慮する必要がある。例えば、端末機器がノンスロット（ｎｏｎ−ｓｌｏｔ）伝送を採用すると、図１に示すように、端末の実際の伝送が同一の周波数領域リソースでのみ行われる可能性があり、ｎｏｎ−ｓｌｏｔ伝送が周波数ダイバーシティゲインを取得することを保証できず、複数の端末の伝送リソースが重なり、さらにユーザが衝突する場合もある。
【発明の概要】
【発明が解決しようとする課題】
【０００５】
ｎｏｎ−ｓｌｏｔ伝送における周波数ダイバーシティゲインを効果的に向上させるデータを送信する方法、データを受信する方法、端末機器及びネットワーク機器を提供する。
【課題を解決するための手段】
【０００６】
第１の態様にて提供されるデータを送信する方法は、
端末機器が時間インデックス及び／又は設定情報に基づいて目標リソースを決定するステップと、
前記端末機器が前記目標リソースの上でネットワーク機器にデータを送信するステップと、を含む。
【０００７】
本願の実施例における端末機器は時間インデックスに基づいて目標リソースを直接決定するため、該端末機器は該目標リソースのリソース粒度が該端末機器の伝送要求を満足するように制御でき、それにより、データの実際の伝送プロセスが同一の周波数領域リソースの上でのみ発生することを回避でき、それにより、さらにｎｏｎ−ｓｌｏｔ伝送における周波数ダイバーシティゲインを向上できる。
【０００８】
また、該端末機器が設定情報に基づいて該目標リソースを決定する時、可能な限り干渉のランダム性を向上でき、同じユーザが常に又は頻繁に衝突することを回避し、さらに、該端末機器のＤＭＲＳが他の端末と衝突する時、ユーザ認識の性能を効果的に向上でき、システム伝送効率を向上させる。
【０００９】
いくつかの可能な実現形態において、前記時間インデックスに対応する時間ユニットの単位は、少なくとも１つのシンボル、少なくとも１つのスロット、及び少なくとも１つの伝送機会のうちの少なくとも１つを含む。
【００１０】
いくつかの可能な実現形態において、前記時間インデックスに対応する時間ユニットの単位は、前記端末機器が前記ネットワーク機器から送信された上位層シグナリング又は物理層シグナリングによって決定するものとする。
【００１１】
いくつかの可能な実現形態において、前記端末機器が時間インデックス及び／又は設定情報に基づいて目標リソースを決定する前に、前記方法は、
前記端末機器が前記ネットワーク機器から送信された、前記端末機器の独占情報である前記設定情報を受信するステップをさらに含み、ただし、前記端末機器が時間インデックス及び／又は設定情報に基づいて目標リソースを決定するステップは、
前記端末機器が前記設定情報に基づいて前記目標リソースを決定することを含む。
【００１２】
いくつかの可能な実現形態において、前記設定情報は、第１の周波数ホッピングパラメータ
【数１】
2021515434.tif 000350
、第２の周波数ホッピングパラメータ
【数２】
2021515434.tif 000351
、使用可能なリソース数
【数３】
2021515434.tif 000352
、周波数ホッピングパラメータＫ及び境界点パラメータ
【数４】
2021515434.tif 000353
のうちの少なくとも１つを含み、ここで、前記
【数５】
2021515434.tif 000354
は開始リソース位置を示し、前記
【数６】
2021515434.tif 000355
は前記端末機器が次のホップリソース位置を取得するために用いられる。
【００１３】
いくつかの可能な実現形態において、前記端末機器が前記設定情報に基づいて前記目標リソースを決定することは、前記端末機器が、以下の式に従って、前記目標リソースを決定することを含み、
【数７】
2021515434.tif 000356
ここで、前記
【数８】
2021515434.tif 000357
は前記目標リソースを表し、前記
【数９】
2021515434.tif 000358
はモジュラス演算を表し、前記
【数１０】
2021515434.tif 000359
は帯域幅部分のサイズを表し、前記
【数１１】
2021515434.tif 000360
は前記時間インデックスを表す。
【００１４】
いくつかの可能な実現形態において、前記端末機器が前記設定情報に基づいて前記目標リソースを決定することは、前記端末機器が、以下の式に従って、前記目標リソースを決定することを含み、
【数１２】
2021515434.tif 000361
ここで、前記
【数１３】
2021515434.tif 000362
は前記目標リソースを表し、前記
【数１４】
2021515434.tif 000363
はモジュラス演算を表し、前記
【数１５】
2021515434.tif 000364
は帯域幅部分のサイズを表し、前記
【数１６】
2021515434.tif 000365
は前記時間インデックスを表す。
【００１５】
いくつかの可能な実現形態において、前記端末機器が前記設定情報に基づいて前記目標リソースを決定することは、前記端末機器が、以下の式に従って、前記目標リソースを決定することを含み、
【数１７】
2021515434.tif 000366
ここで、前記
【数１８】
2021515434.tif 000367
は前記目標リソースを表し、前記
【数１９】
2021515434.tif 000368
はモジュラス演算を表し、前記
【数２０】
2021515434.tif 000369
は帯域幅部分のサイズを表し、前記
【数２１】
2021515434.tif 000370
は前記時間インデックスを表す。
【００１６】
いくつかの可能な実現形態において、前記
【数２２】
2021515434.tif 000371
は２以上である。
【００１７】
いくつかの可能な実現形態において、前記端末機器が前記設定情報に基づいて前記目標リソースを決定することは、前記端末機器が、以下の式に従って、前記目標リソースを決定することを含み、
【数２３】
2021515434.tif 000372
ここで、前記
【数２４】
2021515434.tif 000373
は前記目標リソースを表し、前記
【数２５】
2021515434.tif 000374
はモジュラス演算を表し、前記
【数２６】
2021515434.tif 000375
は丸め演算を表し、前記
【数２７】
2021515434.tif 000376
は帯域幅部分のサイズを表し、前記
【数２８】
2021515434.tif 000377
は前記時間インデックスを表す。
【００１８】
いくつかの可能な実現形態において、前記設定情報は前記目標リソースの位置情報を含む。
【００１９】
いくつかの可能な実現形態において、前記端末機器が前記設定情報に基づいて前記目標リソースを決定することは、前記端末機器が、以下の式に従って、前記目標リソースを決定することを含み、
【数２９】
2021515434.tif 000378
ここで、前記
【数３０】
2021515434.tif 000379
は前記目標リソースを表し、前記
【数３１】
2021515434.tif 000380
はモジュラス演算を表し、前記
【数３２】
2021515434.tif 000381
は帯域幅部分のサイズを表し、前記
【数３３】
2021515434.tif 000382
は前記時間インデックスを表す。
【００２０】
いくつかの可能な実現形態において、前記Ｋは、前記ネットワーク機器によって暗示的又は明示的に設定される。
【００２１】
いくつかの可能な実現形態において、前記Ｋは、前記データの繰り返し伝送される回数に等しい。
【００２２】
いくつかの可能な実現形態において、前記端末機器に前記データの繰り返し伝送される回数が設定されていない場合、前記Ｋは第１の値に等しく、前記端末機器に前記データの繰り返し伝送される回数が設定されている場合、前記Ｋは前記データの繰り返し伝送される回数に等しい。
【００２３】
第２の態様にて提供されるデータを受信する方法は、
端末機器が時間インデックスに基づいて目標リソースを決定するための、前記端末機器の独占情報である設定情報をネットワーク機器が決定するステップと、前記ネットワーク機器が前記設定情報に基づいて目標リソースを決定するステップと、前記ネットワーク機器が前記目標リソースの上で、前記端末機器から送信されたデータを受信するステップと、を含む。
【００２４】
いくつかの可能な実現形態において、前記ネットワーク機器が前記設定情報に基づいて目標リソースを決定する前に、前記方法は、前記ネットワーク機器が前記端末機器に前記設定情報を送信するステップをさらに含む。
【００２５】
第３の態様にて提供される端末機器は、時間インデックス及び／又は設定情報に基づいて目標リソースを決定する処理ユニットと、前記目標リソースの上でネットワーク機器にデータを送信する送受信ユニットと、を含む。
【００２６】
第４の態様にて提供される端末機器は、時間インデックス及び／又は設定情報に基づいて目標リソースを決定するプロセッサと、前記目標リソースの上でネットワーク機器にデータを送信するトランシーバーと、を含む。
【００２７】
第５の態様にて提供されるネットワーク機器は、端末機器が時間インデックスに基づいて目標リソースを決定するための、前記端末機器の独占情報である設定情報を決定し、前記設定情報に基づいて前記目標リソースを決定する処理ユニットと、前記目標リソースの上で端末機器から送信されたデータを受信する送受信ユニットと、を含む。
【００２８】
第６の態様にて提供されるネットワーク機器は、端末機器が時間インデックスに基づいて目標リソースを決定するための、前記端末機器の独占情報である設定情報を決定し、前記設定情報に基づいて前記目標リソースを決定するプロセッサと、前記目標リソースの上で端末機器から送信されたデータを受信するトランシーバーと、を含む。
【００２９】
第７の態様は、コンピュータプログラムを記憶するためのコンピュータ可読媒体を提供し、該コンピュータプログラムは上記第１の態様又は第２の態様の方法の実施例を実行するための命令を含む。
【００３０】
第８の態様にて提供されるコンピュータチップは、入力インタフェースと、出力インタフェースと、少なくとも１つのプロセッサと、メモリと、を備え、前記プロセッサは、前記メモリ内のコードを実行し、前記コードが実行されると、前記プロセッサは上記第１の態様及び各種実施態様におけるデータを送信する方法において端末機器によって実行される各プロセスを実現することができる。
【００３１】
第９の態様にて提供されるコンピュータチップは、入力インタフェースと、出力インタフェースと、少なくとも１つのプロセッサと、メモリと、を備え、前記プロセッサは、前記メモリ内のコードを実行し、前記コードが実行されると、前記プロセッサは上記第２の態様及び各種実施形態におけるデータを受信する方法においてネットワーク機器によって実行される各プロセスを実現することができる。
【００３２】
第１０の態様にて提供される通信システムは、上述したネットワーク機器及び上述した端末機器を含む。
【図面の簡単な説明】
【００３３】
【図１】従来技術におけるリソース位置の概略ブロック図である。
【図２】本発明の実施例による本発明のアプリケーションシナリオの一例である。
【図３】本発明の実施例によるデータを送信する方法の概略フローチャートである。
【図４】本発明の実施例によるデータを送信する方法の概略フローチャートである。
【図５】本発明の実施例による目標リソースのリソース位置の概略ブロック図である。
【図６】本発明の実施例による目標リソースのリソース位置の概略ブロック図である。
【図７】本発明の実施例による目標リソースのリソース位置の概略ブロック図である。
【図８】本発明の実施例による目標リソースのリソース位置の概略ブロック図である。
【図９】本発明の実施例による目標リソースのリソース位置の概略ブロック図である。
【図１０】本発明の実施例による端末機器の概略ブロック図である。
【図１１】本発明の実施例による端末機器の概略ブロック図である。
【図１２】本発明の実施例によるネットワーク機器の概略ブロック図である。
【図１３】本発明の実施例によるネットワーク機器の概略ブロック図である。
【発明を実施するための形態】
【００３４】
図２は、本発明の実施例による５Ｇアプリケーションシナリオの概略図である。
【００３５】
図２に示すように、通信システム１００は、端末機器１１０及びネットワーク機器１２０を含んでもよい。ネットワーク機器１２０はエアインターフェースを介して端末機器１１０と通信することができる。端末機器１１０とネットワーク機器１２０との間でマルチサービスの伝送がサポートされる。
【００３６】
本発明の実施例は、５Ｇ通信システム１００のみを例として説明されるが、本発明の実施例は、これに限定されないことを理解されたい。つまり、本発明の実施例に係る技術的解決手段は、５Ｇ通信システムを含む様々なシナリオに適用することができる。例えば、５Ｇ通信システムと第１の通信システムとからなるハイブリッド展開シナリオなどが挙げられる。ここで、該第１の通信システムはいずれの通信システムであってもよい。例えば、長期進化（Ｌｏｎｇ  Ｔｅｒｍ  Ｅｖｏｌｕｔｉｏｎ、ＬＴＥ（登録商標））システム、ＬＴＥ時分割デュプレックス（Ｔｉｍｅ  Ｄｉｖｉｓｉｏｎ  Ｄｕｐｌｅｘ、ＴＤＤ）システム、汎用移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）などが知られている。
【００３７】
さらに、本発明は、ネットワーク機器及び端末機器を関連して様々な実施例を説明する。
【００３８】
ここで、ネットワーク機器１２０は信号を送受信するためのネットワーク側のいずれかのエンティティを指してもよい。例えば、５Ｇネットワークにおける基地局機器などである。
【００３９】
端末機器１１０はいずれの端末機器であってもよい。具体的には、端末機器１１０はラジオアクセスネットワーク（Ｒａｄｉｏ  Ａｃｃｅｓｓ  Ｎｅｔｗｏｒｋ、ＲＡＮ）を介して１つ以上のコアネットワーク（Ｃｏｒｅ  Ｎｅｔｗｏｒｋ）と通信してもよく、アクセス端末、ユーザ機器（Ｕｓｅｒ  Ｅｑｕｉｐｍｅｎｔ、ＵＥ）、ユーザユニット、ユーザステーション、モバイルステーション、移動局、リモートステーション、リモート端末、モバイル機器、ユーザ端末、端末、無線通信機器、ユーザエージェント又はユーザ装置とも呼ばれる。例えば、携帯電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）ステーション、パーソナルデジタル処理（Ｐｅｒｓｏｎａｌ  Ｄｉｇｉｔａｌ  Ａｓｓｉｓｔａｎｔ、ＰＤＡ）、無線通信機能を有する手持ち機器、計算機器又は無線モデムに接続された他の処理機器、車載機器、ウェアラブル機器などがある。
【００４０】
図３は本発明の実施例によるデータを送信する方法の概略フローチャートである。
【００４１】
具体的には、図３に示すように、該方法は、
端末機器が時間インデックス及び／又は設定情報に基づいて目標リソースを決定するステップ２１０と、
該端末機器が該目標リソースの上でネットワーク機器にデータを送信するステップ２２０と、を含む。
【００４２】
具体的には、端末機器は時間インデックスに基づいて目標リソースを直接決定し、又は、該端末機器はネットワーク機器から送信された設定情報に基づいて該目標リソースを決定することができる。その後、該端末機器は該目標リソースの上で該ネットワーク機器にデータを送信する。さらに、該設定情報は、該端末機器が時間インデックスに基づいて該目標リソースを決定するための情報を含む。
【００４３】
さらに、該端末機器が該設定情報に基づいて該目標リソースを決定した場合には、該端末機器が該設定情報に基づいて目標リソースを決定する前に、該端末機器は、該ネットワーク機器から送信された、該端末機器の独占情報である該設定情報を受信する。このように、該端末機器は該設定情報に基づいて該目標リソースを決定する。該ネットワーク機器は該設定情報に基づいて該目標リソースを決定し、また該目標リソースの上で端末機器から送信されたデータを受信することもできる。
【００４４】
言い換えれば、該ネットワーク機器は、端末機器が時間インデックスに基づいて目標リソースを決定するための、該端末機器の独占情報である設定情報を決定し、該ネットワーク機器が該設定情報に基づいて該目標リソースを決定する前に、該ネットワーク機器は該端末機器に該設定情報を送信する。
【００４５】
具体的には、図４に示すように、本願の実施例によるネットワーク機器と端末機器との間のインタラクションのプロセスは、
該ネットワーク機器が設定情報を決定するステップ３１０と、
該ネットワーク機器が該端末機器に該設定情報を送信するステップ３２０と、
該ネットワーク機器が該設定情報に基づいて該目標リソースを決定するステップ３３０と、
該ネットワーク機器が該目標リソースの上でデータを受信するステップ３４０と、を含む。
【００４６】
本願の実施例において、該時間インデックスは、時間ユニットのインデックスとして理解されてもよく、ここで、該時間ユニットは、ある期間として理解されてもよいことを理解されたい。但し、本願の実施例では、ある期間の長さについては特に限定しない。
【００４７】
例えば、一実施例では、該時間インデックスに対応する時間ユニットの単位は、少なくとも１つのシンボル、少なくとも１つのスロット、及び少なくとも１つの伝送機会のうちの少なくとも１つを含む。具体的には、例えば、該時間インデックスに対応する時間ユニットの単位は、１つのシンボルでもよいし、複数のシンボルからなる時間帯でもよいし、１つのスロット（Ｓｌｏｔ）でもよいし、複数のｓｌｏｔからなる時間帯でもよい。
【００４８】
さらに、該時間インデックスに対応する時間ユニットの単位は、該端末機器が該ネットワーク機器から送信された上位層シグナリング又は物理層シグナリングによって決定するものとする。
【００４９】
例えば、該時間インデックスに対応する時間ユニットの単位は、ネットワーク機器が直接指示してもよいし、ネットワーク機器が間接的に指示してもよいし、プロトコルによって該時間インデックスに対応する時間ユニットの単位を規定してもよく、本願は特に限定しない。
【００５０】
さらに、本願の実施例に係る当該時間ユニットは、相対時間ユニットを指しても絶対時間ユニットを指してもよく、本願の実施例は特に限定しない。
【００５１】
本願の実施例における端末機器は時間インデックスに基づいて目標リソースを直接決定するため、該端末機器は該目標リソースのリソース粒度が該端末機器の伝送要求を満足するように制御でき、さらに、データの実際の伝送プロセスが同一の周波数領域リソースの上でのみ発生することを回避でき、それにより、さらにｎｏｎ−ｓｌｏｔ伝送における周波数ダイバーシティゲインを向上できる。
【００５２】
また、該端末機器が設定情報に基づいて該目標リソースを決定する時、可能な限り干渉のランダム性を向上でき、同じユーザが常に又は頻繁に衝突することを回避し、さらに、該端末機器の復調基準信号（Ｄｅｍｏｄｕｌａｔｉｏｎ  Ｒｅｆｅｒｅｎｃｅ  Ｓｉｇｎａｌ、ＤＭＲＳ）が他の端末と衝突する時、ユーザ認識の性能を効果的に向上でき、システム伝送効率を向上させる。
【００５３】
なお、本願の実施例において、該端末機器は、時間インデックスに基づいて該目標リソースを直接決定し、さらに該目標リソースのリソース粒度を制御することができる。該端末機器は、該設定情報に基づいて該目標リソースのリソース粒度を直接制御して該目標リソースを決定し、リソースの衝突を回避することもできる。しかし、本願の実施例は、該目標リソースを決定する実現形態について特に限定しない。
【００５４】
例えば、該端末機器は、データの伝送回数に従って該目標リソースを決定してもよい。すなわち、該端末機器は、データの伝送回数に基づいて該目標リソースのリソース位置を決定する。
【００５５】
以下、本願の実施例における端末機器が該設定情報に基づいて該目標リソースを決定する実現形態について例示的に説明する。
【００５６】
一実施例では、該設定情報は、第１の周波数ホッピングパラメータ
【数３４】
2021515434.tif 000383
、第２の周波数ホッピングパラメータ
【数３５】
2021515434.tif 000384
、使用可能なリソース数
【数３６】
2021515434.tif 000385
、周波数ホッピングパラメータＫ及び境界点パラメータ
【数３７】
2021515434.tif 000386
のうちの少なくとも１つを含み、ここで、該
【数３８】
2021515434.tif 000387
は開始リソース位置を示し、該
【数３９】
2021515434.tif 000388
は、該端末機器が次のホップリソース位置を取得するために用いられる。これにより、端末機器は、該設定情報における各パラメータ情報に基づいて該目標リソースを取得することができる。
【００５７】
なお、本願の実施例では、該設定情報に基づいて該目標リソースを決定する実現形態は、端末機器側とネットワーク機器側のいずれにも適用可能であるため、重複を避けるため、以下、端末機器側を例に挙げて説明する。
【００５８】
以下、該端末機器が上記設定情報に例示されるパラメータに基づいて該目標リソースを決定する具体的な実現形態について例示的に説明する。
【００５９】
一実施例では、該端末機器は、式（１）に従って、該目標リソースを決定することができ、
【数４０】
2021515434.tif 000389
ここで、該
【数４１】
2021515434.tif 000390
は該目標リソースを表し、該
【数４２】
2021515434.tif 000391
はモジュラス演算を表し、該
【数４３】
2021515434.tif 000392
は帯域幅部分のサイズを表し、該
【数４４】
2021515434.tif 000393
は該時間インデックスを表す。
【００６０】
具体的には、図５に示すように、目標リソースのリソース粒度が時間インデックスに対応する時間ユニットを単位とするため、データの実際の伝送プロセスにおいて同一の周波数領域リソースの上でのみ発生することを回避でき、さらにｎｏｎ−ｓｌｏｔ伝送における周波数ダイバーシティゲインを向上できる。理解されるように、上記式（１）を用いて該目標リソースを決定する時、該設定情報は第１の周波数ホッピングパラメータ
【数４５】
2021515434.tif 000394
及び／又は第２の周波数ホッピングパラメータ
【数４６】
2021515434.tif 000395
を含む。
【００６１】
別の実施例では、該端末機器は、式（２）に従って、該目標リソースを決定することができ、
【数４７】
2021515434.tif 000396
ここで、該
【数４８】
2021515434.tif 000397
は該目標リソースを表し、該
【数４９】
2021515434.tif 000398
はモジュラス演算を表し、該
【数５０】
2021515434.tif 000399
は帯域幅部分のサイズを表し、該
【数５１】
2021515434.tif 000400
は該時間インデックスを表す。
【００６２】
具体的には、図６に示すように、該時間ユニットの単位は１つの伝送機会である。理解されるように、上記式（２）を用いて該目標リソースを決定する時、該設定情報は第１の周波数ホッピングパラメータ
【数５２】
2021515434.tif 000401
及び／又は第２の周波数ホッピングパラメータ
【数５３】
2021515434.tif 000402
を含んでもよい。
【００６３】
別の実施例では、該端末機器は、式（３）に従って、該目標リソースを決定することができ、
【数５４】
2021515434.tif 000403
ここで、該
【数５５】
2021515434.tif 000404
は該目標リソースを表し、該
【数５６】
2021515434.tif 000405
はモジュラス演算を表し、該
【数５７】
2021515434.tif 000406
は帯域幅部分のサイズを表し、該
【数５８】
2021515434.tif 000407
は該時間インデックスを表す。
【００６４】
理解されるように、上記式（３）を用いて該目標リソースを決定する時、該設定情報は第１の周波数ホッピングパラメータ
【数５９】
2021515434.tif 000408
、第２の周波数ホッピングパラメータ
【数６０】
2021515434.tif 000409
及び使用可能なリソース数
【数６１】
2021515434.tif 000410
のいずれを含んでもよい。
【００６５】
例えば、
【数６２】
2021515434.tif 000411
であり、ユーザ１の設定情報において
【数６３】
2021515434.tif 000412
であり、使用可能なリソース数
【数６４】
2021515434.tif 000413
であると仮定する。ユーザ２の設定情報において
【数６５】
2021515434.tif 000414
であり、使用可能なリソース数
【数６６】
2021515434.tif 000415
であると仮定する。図７に示すように、ユーザ１とユーザ２のリソース衝突が発生する確率を効果的に低減することができる。
【００６６】
さらに、本願の実施例では、該
【数６７】
2021515434.tif 000416
は２以上であってもよい。
【００６７】
また例えば、該端末機器は、式（４）に従って、該目標リソースを決定することができ、
【数６８】
2021515434.tif 000417
ここで、該
【数６９】
2021515434.tif 000418
は該目標リソースを表し、該
【数７０】
2021515434.tif 000419
はモジュラス演算を表し、該
【数７１】
2021515434.tif 000420
は丸め演算を表し、該
【数７２】
2021515434.tif 000421
は帯域幅部分のサイズを表し、該
【数７３】
2021515434.tif 000422
は該時間インデックスを表す。
【００６８】
理解されるように、上記式（４）を用いて該目標リソースを決定する時、該設定情報は第１の周波数ホッピングパラメータ
【数７４】
2021515434.tif 000423
、第２の周波数ホッピングパラメータ
【数７５】
2021515434.tif 000424
及び境界点パラメータ
【数７６】
2021515434.tif 000425
のいずれを含んでもよい。
【００６９】
例えば、本願の実施例における設定情報において境界点パラメータ
【数７７】
2021515434.tif 000426
を含み、且つユーザ１の設定情報において
【数７８】
2021515434.tif 000427
であると仮定する。ユーザ２の設定情報において
【数７９】
2021515434.tif 000428
である。図８に示すように、ユーザ１とユーザ２のリソース衝突が発生する確率を効果的に低減することができる。
【００７０】
また例えば、該端末機器は、式（５）に従って、該目標リソースを決定することができ、
【数８０】
2021515434.tif 000429
ここで、該
【数８１】
2021515434.tif 000430
は該目標リソースを表し、該
【数８２】
2021515434.tif 000431
はモジュラス演算を表し、該
【数８３】
2021515434.tif 000432
は帯域幅部分のサイズを表し、該
【数８４】
2021515434.tif 000433
は該時間インデックスを表す。
【００７１】
理解されるように、上記式（５）を用いて該目標リソースを決定する時、該設定情報は第１の周波数ホッピングパラメータ
【数８５】
2021515434.tif 000434
、第２の周波数ホッピングパラメータ
【数８６】
2021515434.tif 000435
及び周波数ホッピングパラメータＫのいずれを含んでもよい。
【００７２】
ここで、該Ｋは、該ネットワーク機器によって暗示的又は明示的に設定できる。
【００７３】
例えば、該Ｋは、該データの繰り返し伝送される回数に等しい。
【００７４】
さらに、該端末機器に該データの繰り返し伝送される回数が設定されていない場合、該Ｋはデフォルトでは第１の値に等しくてもよい。該端末機器に該データの繰り返し伝送される回数が設定されている場合、該Ｋは該データの繰り返し伝送される回数に等しい。
【００７５】
例えば、該端末機器に該データの繰り返し伝送される回数が設定されていない場合、該Ｋはデフォルトでは２に等しくてもよい。該端末機器に該データの繰り返し伝送される回数が設定されている場合、該Ｋは該データの繰り返し伝送される回数に等しい。
【００７６】
なお、上記の式（１）、式（２）、式（３）、式（４）、式（５）は、本願の実施例における端末機器が該設定情報に含まれた周波数ホッピングパラメータに基づいて該目標リソースを決定する一例を示したにすぎず、本願の実施例における端末機器が該設定情報に基づいて該目標リソースを決定する方法は、上記の式に限定されない。
【００７７】
別の実施例では、該設定情報は該目標リソースの位置情報を含む。このように、端末機器は該目標リソースの位置情報に基づいて該ネットワーク機器にデータを直接送信することができる。
【００７８】
例えば、本願の実施例における設定情報は、一連の伝送リソースを含むものと仮定する。図９に示すように、ユーザ１が｛ＲＢ＿１、ＲＢ＿３、ＲＢ＿１、ＲＢ＿３、ＲＢ＿１｝で構成され、ユーザ２が｛ＲＢ＿３、ＲＢ＿１、ＲＢ＿２、ＲＢ＿１、ＲＢ＿３｝で構成されているものと仮定する。本願の実施例の態様はユーザ１とユーザ２のリソース衝突が発生する確率を効果的に低減することができる。
【００７９】
図１０は本願の実施例による端末機器の概略ブロック図である。
【００８０】
具体的には、図１０に示すように、該端末機器４００は、
時間インデックス及び／又は設定情報に基づいて目標リソースを決定する処理ユニット４１０と、該目標リソースの上でネットワーク機器にデータを送信する送受信ユニット４２０と、を含む。
【００８１】
１つの実施例では、該時間インデックスに対応する時間ユニットの単位は、少なくとも１つのシンボル、少なくとも１つのスロット、及び少なくとも１つの伝送機会のうちの少なくとも１つを含む。
【００８２】
１つの実施例では、該時間インデックスに対応する時間ユニットの単位は、該端末機器が該ネットワーク機器から送信された上位層シグナリング又は物理層シグナリングによって決定するものとする。
【００８３】
１つの実施例では、該送受信ユニット４２０はさらに、該処理ユニット４１０が時間インデックス及び／又は設定情報に基づいて目標リソースを決定する前に、該ネットワーク機器から送信された、該端末機器の独占情報である該設定情報を受信するために用いられる。ここで、該処理ユニット４１０は具体的には、該設定情報に基づいて該目標リソースを決定するために用いられる。
【００８４】
１つの実施例では、該設定情報は、第１の周波数ホッピングパラメータ
【数８７】
2021515434.tif 000436
、第２の周波数ホッピングパラメータ
【数８８】
2021515434.tif 000437
、使用可能なリソース数
【数８９】
2021515434.tif 000438
、周波数ホッピングパラメータＫ及び境界点パラメータ
【数９０】
2021515434.tif 000439
のうちの少なくとも１つを含み、ここで、該
【数９１】
2021515434.tif 000440
は開始リソース位置を示し、該
【数９２】
2021515434.tif 000441
は、該端末機器が次のホップリソース位置を取得するために用いられる。
【００８５】
１つの実施例では、該処理ユニット４１０は具体的には、以下の式に従って、該目標リソースを決定するために用いられ、
【数９３】
2021515434.tif 000442
ここで、該
【数９４】
2021515434.tif 000443
は該目標リソースを表し、該
【数９５】
2021515434.tif 000444
はモジュラス演算を表し、該
【数９６】
2021515434.tif 000445
は帯域幅部分のサイズを表し、該
【数９７】
2021515434.tif 000446
は該時間インデックスを表す。
【００８６】
１つの実施例では、該処理ユニット４１０は具体的には、以下の式に従って、該目標リソースを決定するために用いられ、
【数９８】
2021515434.tif 000447
ここで、該
【数９９】
2021515434.tif 000448
は該目標リソースを表し、該
【数１００】
2021515434.tif 000449
はモジュラス演算を表し、該
【数１０１】
2021515434.tif 000450
は帯域幅部分のサイズを表し、該
【数１０２】
2021515434.tif 000451
は該時間インデックスを表す。
【００８７】
１つの実施例では、該処理ユニット４１０は具体的には、以下の式に従って、該目標リソースを決定するために用いられ、
【数１０３】
2021515434.tif 000452
ここで、該
【数１０４】
2021515434.tif 000453
は該目標リソースを表し、該
【数１０５】
2021515434.tif 000454
はモジュラス演算を表し、該
【数１０６】
2021515434.tif 000455
は帯域幅部分のサイズを表し、該
【数１０７】
2021515434.tif 000456
は該時間インデックスを表す。
【００８８】
１つの実施例では、該
【数１０８】
2021515434.tif 000457
は２以上である。
【００８９】
１つの実施例では、該処理ユニット４１０は具体的には、以下の式に従って、該目標リソースを決定するために用いられ、
【数１０９】
2021515434.tif 000458
ここで、該
【数１１０】
2021515434.tif 000459
は該目標リソースを表し、該
【数１１１】
2021515434.tif 000460
はモジュラス演算を表し、該
【数１１２】
2021515434.tif 000461
は丸め演算を表し、該
【数１１３】
2021515434.tif 000462
は帯域幅部分のサイズを表し、該
【数１１４】
2021515434.tif 000463
は該時間インデックスを表す。
【００９０】
１つの実施例では、該処理ユニット４１０は具体的には、以下の式に従って、該目標リソースを決定するために用いられ、
【数１１５】
2021515434.tif 000464
ここで、該
【数１１６】
2021515434.tif 000465
は該目標リソースを表し、該
【数１１７】
2021515434.tif 000466
はモジュラス演算を表し、該
【数１１８】
2021515434.tif 000467
は帯域幅部分のサイズを表し、該
【数１１９】
2021515434.tif 000468
は該時間インデックスを表す。
【００９１】
１つの実施例では、該Ｋは、該ネットワーク機器によって暗示的又は明示的に設定される。
【００９２】
１つの実施例では、該Ｋは、該データの繰り返し伝送される回数に等しい。
【００９３】
１つの実施例では、該端末機器に該データの繰り返し伝送される回数が設定されていない場合、該Ｋは第１の値に等しく、該端末機器に該データの繰り返し伝送される回数が設定されている場合、該Ｋは該データの繰り返し伝送される回数に等しい。
【００９４】
１つの実施例では、該設定情報は該目標リソースの位置情報を含む。
【００９５】
本発明の実施例において、処理ユニット４１０はプロセッサによって実現され、送受信ユニット４２０はトランシーバーによって実現されてもよい。図１１に示すように、端末機器５００は、プロセッサ５１０、トランシーバー５２０、及びメモリ５３０を含んでよい。ここで、メモリ５３０は、指示情報を記憶するために用いられてもよく、プロセッサ５１０が実行するコード、命令などを記憶するために用いられてもよい。端末機器５００内の各構成要素はバスシステムにより接続され、ここで、バスシステムはデータバスの他に、電源バス、制御バス、ステータス信号バスをさらに含む。
【００９６】
図１１に示す端末機器５００は、上述した図３及び図４の方法の実施例における端末機器によって実現される各プロセスを実現することができ、重複を避けるためにここでは詳しい説明を省略する。
【００９７】
図１２は本願の実施例によるネットワーク機器の概略ブロック図である。
【００９８】
具体的には、図１２に示すように、該ネットワーク機器６００は、
端末機器が時間インデックスに基づいて目標リソースを決定するための、該端末機器の独占情報である設定情報を決定し、該設定情報に基づいて該目標リソースを決定する処理ユニット６１０と、該目標リソースの上で端末機器から送信されたデータを受信する送受信ユニット６２０と、を含む。
【００９９】
１つの実施例では、該送受信ユニット６２０はさらに、該処理ユニット６１０が該設定情報に基づいて該目標リソースを決定する前に、該端末機器に該設定情報を送信するために用いられる。
【０１００】
１つの実施例では、該時間インデックスに対応する時間ユニットの単位は、少なくとも１つのシンボル、少なくとも１つのスロット、及び少なくとも１つの伝送機会のうちの少なくとも１つを含む。
【０１０１】
１つの実施例では、該時間インデックスに対応する時間ユニットの単位は、該端末機器が該ネットワーク機器から送信された上位層シグナリング又は物理層シグナリングによって決定するものとする。
【０１０２】
１つの実施例では、該設定情報は、第１の周波数ホッピングパラメータ
【数１２０】
2021515434.tif 000469
、第２の周波数ホッピングパラメータ
【数１２１】
2021515434.tif 000470
、使用可能なリソース数
【数１２２】
2021515434.tif 000471
、周波数ホッピングパラメータＫ及び境界点パラメータ
【数１２３】
2021515434.tif 000472
のうちの少なくとも１つを含み、ここで、該
【数１２４】
2021515434.tif 000473
は該開始リソース位置を示し、該
【数１２５】
2021515434.tif 000474
は、該端末機器が次のホップリソース位置を取得するために用いられる。
【０１０３】
１つの実施例では、該処理ユニット６１０は具体的には、以下の式に従って、該目標リソースを決定するために用いられ、
【数１２６】
2021515434.tif 000475
ここで、該
【数１２７】
2021515434.tif 000476
は該目標リソースを表し、該
【数１２８】
2021515434.tif 000477
はモジュラス演算を表し、該
【数１２９】
2021515434.tif 000478
は帯域幅部分のサイズを表し、該
【数１３０】
2021515434.tif 000479
は該時間インデックスを表す。
【０１０４】
１つの実施例では、該処理ユニット６１０は具体的には、以下の式に従って、該目標リソースを決定するために用いられ、
【数１３１】
2021515434.tif 000480
ここで、該
【数１３２】
2021515434.tif 000481
は該目標リソースを表し、該
【数１３３】
2021515434.tif 000482
はモジュラス演算を表し、該
【数１３４】
2021515434.tif 000483
は帯域幅部分のサイズを表し、該
【数１３５】
2021515434.tif 000484
は該時間インデックスを表す。
【０１０５】
１つの実施例では、該処理ユニット６１０は具体的には、以下の式に従って、該目標リソースを決定するために用いられ、
【数１３６】
2021515434.tif 000485
ここで、該
【数１３７】
2021515434.tif 000486
は該目標リソースを表し、該
【数１３８】
2021515434.tif 000487
はモジュラス演算を表し、該
【数１３９】
2021515434.tif 000488
は帯域幅部分のサイズを表し、該
【数１４０】
2021515434.tif 000489
は該時間インデックスを表す。
【０１０６】
１つの実施例では、該
【数１４１】
2021515434.tif 000490
は２以上である。
【０１０７】
１つの実施例では、該処理ユニット６１０は具体的には、以下の式に従って、該目標リソースを決定するために用いられ、
【数１４２】
2021515434.tif 000491
ここで、該
【数１４３】
2021515434.tif 000492
は該目標リソースを表し、該
【数１４４】
2021515434.tif 000493
はモジュラス演算を表し、該
【数１４５】
2021515434.tif 000494
は丸め演算を表し、該
【数１４６】
2021515434.tif 000495
は帯域幅部分のサイズを表し、該
【数１４７】
2021515434.tif 000496
は該時間インデックスを表す。
【０１０８】
１つの実施例では、該処理ユニット６１０は具体的には、以下の式に従って、該目標リソースを決定するために用いられ、
【数１４８】
2021515434.tif 000497
ここで、該
【数１４９】
2021515434.tif 000498
は該目標リソースを表し、該
【数１５０】
2021515434.tif 000499
はモジュラス演算を表し、該
【数１５１】
2021515434.tif 000500
は帯域幅部分のサイズを表し、該
【数１５２】
2021515434.tif 000501
は該時間インデックスを表す。
【０１０９】
１つの実施例では、該Ｋは、該ネットワーク機器によって暗示的又は明示的に設定される。
【０１１０】
１つの実施例では、該Ｋは、該データの繰り返し伝送される回数に等しい。
【０１１１】
１つの実施例では、該端末機器に該データの繰り返し伝送される回数が設定されていない場合、該Ｋは第１の値に等しく、該端末機器に該データの繰り返し伝送される回数が設定されている場合、該Ｋは該データの繰り返し伝送される回数に等しい。
【０１１２】
１つの実施例では、該設定情報は該目標リソースの位置情報を含む。
【０１１３】
本発明の実施例において、処理ユニット６１０はプロセッサによって実現され、送受信ユニット６２０はトランシーバーによって実現されてもよい。図１３に示すように、ネットワーク機器７００は、プロセッサ７１０、トランシーバー７２０、及びメモリ７３０を含んでよい。ネットワーク機器７００は、上述した図３及び図４の方法の実施例におけるネットワーク機器によって実現される各プロセスを実現することができ、重複を避けるためにここでは詳しい説明を省略する。すなわち、本発明の実施例における方法の実施例は、プロセッサ及びトランシーバーによって実現することができる。
【０１１４】
実現プロセスにおいて、本発明の実施例における方法の実施例の各ステップはプロセッサにおけるハードウェアの集積論理回路又はソフトウェア形式の命令により完了することができる。より具体的には、本発明の実施例に開示された方法を組み合わせるステップは、ハードウェア復号プロセッサの実行、又は復号プロセッサにおけるハードウェア及びソフトウェアモジュールの組み合わせにより直接完了できる。ソフトウェアモジュールはランダムメモリ、フラッシュメモリ、読み取り専用メモリ、プログラム可能読み取り専用メモリ又は電気的消去可能プログラム可能メモリ、レジスタなどの当該技術分野の成熟した記憶媒体に位置することができる。該記憶媒体はメモリに位置し、プロセッサはメモリにおける情報を読み取り、そのハードウェアと組み合わせて上記方法のステップを完了する。
【０１１５】
本発明の実施例におけるプロセッサは集積回路チップであり、信号の処理能力を有し、本発明の実施例に開示された各方法、ステップ及び論理ブロック図を実現又は実行することができる。例えば、上記プロセッサは、汎用プロセッサ、デジタル信号プロセッサ（ｄｉｇｉｔａｌ  ｓｉｇｎａｌ  ｐｒｏｃｅｓｓｏｒ、ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、フィールドプログラム可能ゲートアレイ（ｆｉｅｌｄ  ｐｒｏｇｒａｍｍａｂｌｅ  ｇａｔｅ  ａｒｒａｙ、ＦＰＧＡ）又は他のプログラム可能論理デバイス、トランジスタ論理デバイス、ディスクリートハードウェアコンポーネントなどであってもよいと理解されたい。また、汎用プロセッサはマイクロプロセッサであってもよく、又は該プロセッサは任意の従来のプロセッサなどであってもよい。
【０１１６】
さらに、本発明の実施例で言及されるメモリは、揮発性メモリ又は不揮発性メモリであってもよく、又は揮発性メモリと不揮発性メモリの両方を含んでもよい。ここで、不揮発性メモリは、読み取り専用メモリ（ｒｅａｄ−ｏｎｌｙ  ｍｅｍｏｒｙ、ＲＯＭ）、プログラム可能読み取り専用メモリ（ｐｒｏｇｒａｍｍａｂｌｅ  ＲＯＭ、ＰＲＯＭ）、消去可能プログラム可能読み取り専用メモリ（ｅｒａｓａｂｌｅ  ＰＲＯＭ、ＥＰＲＯＭ）、電気的消去可能プログラム可能読み取り専用メモリ（ｅｌｅｃｔｒｉｃａｌｌｙ  ＥＰＲＯＭ、ＥＥＰＲＯＭ）又はフラッシュメモリであってもよい。揮発性メモリは、外部キャッシュとして使用されるランダムアクセスメモリ（ｒａｎｄｏｍ  ａｃｃｅｓｓ  ｍｅｍｏｒｙ、ＲＡＭ）であってもよい。上記メモリは例示的であり、限定的ではないことを理解すべきであり、例えば、本発明の実施例におけるメモリは、スタティックランダムアクセスメモリ（ｓｔａｔｉｃ  ＲＡＭ、ＳＲＡＭ）、ダイナミックランダムアクセスメモリ（ｄｙｎａｍｉｃ  ＲＡＭ、ＤＲＡＭ）、同期ダイナミックランダムアクセスメモリ（ｓｙｎｃｈｒｏｎｏｕｓ  ＤＲＡＭ、ＳＤＲＡＭ）、ダブルデータレートの同期ダイナミックランダムアクセスメモリ（ｄｏｕｂｌｅ  ｄａｔａ  ｒａｔｅ  ＳＤＲＡＭ、ＤＤＲ  ＳＤＲＡＭ）、拡張同期ダイナミックランダムアクセスメモリ（ｅｎｈａｎｃｅｄ  ＳＤＲＡＭ、ＥＳＤＲＡＭ）、同期接続ダイナミックランダムアクセスメモリ（ｓｙｎｃｈ  ｌｉｎｋ  ＤＲＡＭ、ＳＬＤＲＡＭ）及びダイレクトメモリバスランダムアクセスメモリ（Ｄｉｒｅｃｔ  Ｒａｍｂｕｓ  ＲＡＭ、ＤＲ  ＲＡＭ）などであってもよい。つまり、本明細書で説明されるシステム及び方法のメモリは、これら及び任意の他の適切なタイプのメモリを含むことが意図されているが、これらに限定されない。
【０１１７】
最後に、本発明の実施例及び添付の特許請求の範囲で使用される用語は、特定の実施例を説明するためのものであり、本発明の実施例を限定するものではないことに留意されたい。
【０１１８】
例えば、本発明の実施例及び添付の特許請求の範囲で使用される単数形「１種類」、「前記」、「上記」、及び「該」は、文脈がそうでないことを明確に示さない限り、複数形も含むことを意図している。
【０１１９】
当業者が分かるように、本明細書に開示された実施例を参照しながら説明した各例のユニット及びアルゴリズムステップが、電子ハードウェア、又はコンピュータソフトウェア及び電子ハードウェアの組み合わせで実現することができる。これらの機能がハードウェア又はソフトウェアで実行されるかは、技術的解決手段の特定のアプリケーション及び設計制約条件に依存する。当業者は各特定のアプリケーションに対して異なる方法を用いて説明された機能を実現することができるが、このような実現は本発明の実施例の範囲を超えると考えられるべきではない。
【０１２０】
当業者に自明なように、説明の利便さ及び簡素化から、上記説明されたシステム、装置及びユニットの具体的な作動プロセスについては、上述した方法の実施例における対応プロセスを参照すればよいため、ここで詳細な説明を省略する。
【０１２１】
本願に係るいくつかの実施例に開示されるシステム、装置及び方法は、他の形態により実現することもできると理解すべきである。例えば、以上に説明された装置の実施例は例示的なものにすぎない。例えば、前記ユニットの分割は、論理機能上の分割にすぎず、実施する際に別の形態で分割することもでき、例えば、複数のユニット又はコンポーネントを別のシステムに組み合わせもしくは集積させたり、又は一部の特徴を反映させず、実行しなかったりしてもよい。また、説明又は検討した相互の結合又は直接的な結合又は通信接続は、いくつかのインタフェース、装置又はユニットを用いる間接的な結合又は通信接続とすることもでき、電気的形態、機械的形態又はその他の形態とすることもできる。
【０１２２】
前記分離部材として説明されるユニットは、物理的に分離されるものでもよければ、分離されないものであってもよい。ユニットとして示される部材は、物理的なユニットであってもよいが、物理的なユニットでなくてもよい。すなわち、同一の場所に設けられるものであってもよいが、複数のネットワークユニットに配置されるものであってもよい。必要に従って、一部のユニットだけを用いるか、又は全てのユニットを使用して本発明の各実施例の目的を達成することができる。
【０１２３】
また、本発明の各実施例において、各機能ユニットが１つの処理ユニットに集積されてもよいが、各ユニットが単独で物理的な部材として存在するか、又は２つ以上のユニットが１つのユニットに集積されてもよい。
【０１２４】
ソフトウェアの機能ユニットの形態で実現され、独立した製品として販売されるか又は使用される時に、コンピュータ可読記憶媒体に記憶されてもよい。このような理解に基づき、本発明の実施例の技術的解決手段の本質的に従来技術に貢献する部分又は該技術的解決手段の部分はソフトウェア製品の形式で表すことができ、該コンピュータソフトウェア製品は記憶媒体に記憶され、コンピュータ装置（例えばパソコン、サーバ、又はネットワーク機器など）に本発明の各実施例の前記方法の全部又は一部のステップを実行させるのに用いる若干の命令を含む。前記記憶媒体は、ＵＳＢフラッシュドライブ、モバイルハードディスクドライブ、読み取り専用メモリ、ランダムアクセスメモリ、磁気ディスク又はコンパクトディスクなどの、プログラムコードを記憶できる様々な媒体を含む。
【０１２５】
以上の内容は、本発明の実施例の具体的な実施形態にすぎず、本発明の実施例の保護範囲はこれに限定されない。当業者が本発明の実施例に開示される技術範囲において容易に想到し得る変更や置換などは、いずれも本発明の実施例の保護範囲に含まれる。これにより、本発明の実施例の保護範囲は、特許請求の範囲に記載の内容に準拠する。
【国際調査報告】
2021515434.tif 000502
2021515434.tif 000503
2021515434.tif 000504
2021515434.tif 000505